(57)【特許請求の範囲】
【請求項１】
光ファイバ回線の一端に接続された事業者側通信装置であるＯＬＴ（Optical Line Terminal）装置と、前記光ファイバ回線の途中に挿入された光受動部品によって分岐された前記光ファイバ回線の他端に接続された複数台の加入者側通信装置であるＯＮＵ（Optical Network Unit）装置とからなり、前記ＯＬＴ装置とこれに対応する前記ＯＮＵ装置が第１の通信速度もしくは前記第１の通信速度より高速な第２の通信速度で相互に通信可能であるように構成されたＰＯＮ（Passive Optical Network）システムであって、
前記ＯＬＴ装置は、
前記第１および第２の通信速度のいずれで通信を行うかを切り替える第１の経路切替部と、前記ＯＬＴ装置と各々の前記ＯＮＵ装置の間の前記第１の通信速度の通信経路の空き帯域を検出する第１のＭＰＣＰ（Multi Point Control Protocol）部と、前記ＭＰＣＰ部が検出した前記空き帯域が十分であるか否かを判断して前記空き帯域が十分でない場合に帯域占有率が最も高い前記ＯＮＵ装置を特定し、この特定された前記ＯＮＵ装置との間の通信の前記第２の通信速度への切り替えを前記ＭＰＣＰ部に指示する第１の経路切替制御部とを有すると共に、
前記第１の通信速度で通信中に前記第２の通信速度への切り替えを指示された場合に、前記第１の経路切替部が前記第２の通信速度に前記通信経路を切り替える機能を有すると共に、前記第１のＭＰＣＰ部が前記特定されたＯＮＵ装置に対して第１の切り替え指示ＯＡＭフレームを送信する機能を有することを特徴とするＰＯＮシステム。
【請求項２】
前記ＯＮＵ装置は、
前記第１および第２の通信速度のいずれで通信を行うかを切り替える第２の経路切替部と、前記第１および第２の通信速度のうち一方の通信速度で通信中に残る一方の通信速度で動作する回路への電力供給を停止する動作制御部とを有すると共に、
前記第１の通信速度で通信中に前記ＯＬＴ装置からのＯＡＭフレームを受信した場合にこれを検出する第２のＭＰＣＰ部と、
前記ＭＰＣＰ部が前記ＯＬＴ装置からの前記第１の切り替え指示ＯＡＭフレームを検出した場合に、前記経路切替部に対して前記第１の通信速度から前記第２の通信速度に前記通信経路を切り替えさせる制御信号と、前記動作制御部に対して前記第１の通信速度で動作する回路への電力供給を停止する制御信号とを発する第２の経路切替制御部と
を有することを特徴とする、請求項１に記載のＰＯＮシステム。
【請求項３】
前記ＯＬＴ装置の前記第１のＭＰＣＰ部が、前記第２の通信速度で通信中の前記ＯＮＵ装置の中で前記第１の通信速度に割り当て可能な前記ＯＮＵ装置が存在するか否かを検出する機能を有し、
前記ＯＬＴ装置の第１の経路切替制御部が、前記ＭＰＣＰ部が前記第１の通信速度に割り当て可能な前記ＯＮＵ装置が存在することを検出した場合に前記ＭＰＣＰ部に通信速度の切り替えを指示する機能を有し、
前記ＯＬＴ装置の第１の前記経路切替部が、前記第２の通信速度への切り替えを指示された場合に前記第２の通信速度から前記第１の通信速度に前記通信経路を切り替えると共に、前記ＯＬＴ装置の前記ＭＰＣＰ部が、前記ＯＮＵ装置に対して第２の切り替え指示ＯＡＭフレームを送信する機能を有すると共に、
前記ＯＮＵ装置の第２のＭＰＣＰ部が、前記ＯＬＴ装置からの前記第２の切り替え指示ＯＡＭフレームを検出した場合に、前記第２の経路切替制御部が、前記第２の経路切替部に対して前記第２の通信速度から前記第１の通信速度に前記通信経路を切り替えさせる制御信号と前記動作制御部に対して前記第２の通信速度で動作する回路への電力供給を停止する制御信号とを発する機能を有することを特徴とする、請求項２に記載のＰＯＮシステム。
【請求項４】
前記ＯＬＴ装置および前記ＯＮＵ装置が、前記ＯＬＴ装置から前記ＯＮＵ装置に向けての下り方向通信と前記ＯＮＵ装置から前記ＯＬＴ装置に向けての上り方向通信の双方で前記第１および第２の通信速度で通信可能であり、かつ前記第１および第２の通信速度の切り替えを前記下り方向通信と前記上り方向通信で同時に行うことを特徴とする、請求項１ないし請求項３のいずれか１項に記載のＰＯＮシステム。
【請求項５】
前記ＯＬＴ装置および前記ＯＮＵ装置が、前記ＯＬＴ装置から前記ＯＮＵ装置に向けての下り方向通信についてのみ前記第１および第２の通信速度で通信可能であり、前記ＯＮＵ装置から前記ＯＬＴ装置に向けての上り方向通信については常時前記第１の通信速度で通信を行うことを特徴とする、請求項１ないし請求項３のいずれか１項に記載のＰＯＮシステム。
【請求項６】
光受動部品によって分岐された光ファイバ回線に接続された複数台の加入者側通信装置であるＯＮＵ（Optical Network Unit）装置と接続され、各々の前記ＯＮＵ装置と第１の通信速度もしくは前記第１の通信速度より高速な第２の通信速度で相互に通信可能であるように構成されるＰＯＮ（Passive Optical Network）システムを構築する事業者側通信装置であるＯＬＴ（Optical Line Terminal）装置であって、
前記第１および第２の通信速度のいずれで通信を行うかを切り替える経路切替部と、
各々の前記ＯＮＵ装置の間の前記第１の通信速度の通信経路の空き帯域を検出するＭＰＣＰ（Multi Point Control Protocol）部と、
前記ＭＰＣＰ部が検出した前記空き帯域が十分であるか否かを判断し、前記空き帯域が十分でない場合に帯域占有率が最も高い前記ＯＮＵ装置を特定し、この特定された前記ＯＮＵ装置との間の通信の前記第２の通信速度への切り替えを前記ＭＰＣＰ部に指示する経路切替制御部と
を有すると共に、
前記第１の通信速度で通信中に前記第２の通信速度への切り替えを指示された場合に、前記経路切替部が前記第２の通信速度に前記通信経路を切り替える機能を有すると共に、前記ＭＰＣＰ部が前記特定されたＯＮＵ装置に対して第１の切り替え指示ＯＡＭフレームを送信する機能を有することを特徴とするＯＬＴ装置。
【請求項７】
光ファイバ回線の一端に接続された事業者側通信装置であるＯＬＴ（Optical Line Terminal）装置と、前記光ファイバ回線の途中に挿入された光受動部品によって分岐された前記光ファイバ回線の他端に接続された複数台の加入者側通信装置であるＯＮＵ（Optical Network Unit）装置とからなり、前記ＯＬＴ装置とこれに対応する前記ＯＮＵ装置が第１の通信速度もしくは前記第１の通信速度より高速な第２の通信速度で相互に通信可能であるように構成されたＰＯＮ（Passive Optical Network）システムにあって、
前記第１の通信速度で通信中に前記ＯＬＴ装置と各々の前記ＯＮＵ装置の間の前記第１の通信速度の通信経路の空き帯域を前記ＯＬＴ装置の第１のＭＰＣＰ（Multi Point Control Protocol）部が検出し、
前記ＭＰＣＰ部が検出した前記空き帯域が十分であるか否かを前記ＯＬＴ装置の第１の経路切替制御部が判断し、
前記空き帯域が十分でない場合に前記ＯＬＴ装置の第１の経路切替制御部が帯域占有率が最も高い前記ＯＮＵ装置を特定すると共に、この特定された前記ＯＮＵ装置との間の通信の前記第２の通信速度への切り替えを前記ＯＬＴ装置の前記第１のＭＰＣＰ部に指示し、
前記第２の通信速度への切り替え指示に応じて、前記ＯＬＴ装置の前記第１のＭＰＣＰ部が前記特定されたＯＮＵ装置に対して第１の切り替え指示ＯＡＭフレームを送信すると共に前記ＯＬＴ装置の前記第１の経路切替部が前記第１の通信速度から前記第２の通信速度に前記通信経路を切り替え、
前記第１の通信速度で通信中に前記ＯＮＵ装置の第２のＭＰＣＰ部が前記ＯＬＴ装置からのＯＡＭフレームを検出し、
前記ＯＮＵ装置の前記第２のＭＰＣＰ部が前記ＯＬＴ装置からの前記第１の切り替え指示ＯＡＭフレームを検出した場合に、前記ＯＮＵ装置の第２の経路切替制御部が、前記第１の通信速度から前記第２の通信速度に前記通信経路を切り替えさせる制御信号と、前記第２の通信速度で動作する回路への電力供給を開始する制御信号とを発し、
この制御信号に応じて、前記ＯＮＵ装置の第２の経路切替部が前記第２の通信速度に前記通信経路を切り替えると共に、前記ＯＮＵ装置の動作制御部が前記第１の通信速度で動作する回路への電力供給を停止する
ことを特徴とする通信速度切替方法。
【請求項８】
光ファイバ回線の一端に接続された事業者側通信装置であるＯＬＴ（Optical Line Terminal）装置と、前記光ファイバ回線の途中に挿入された光受動部品によって分岐された前記光ファイバ回線の他端に接続された複数台の加入者側通信装置であるＯＮＵ（Optical Network Unit）装置とからなり、前記ＯＬＴ装置とこれに対応する前記ＯＮＵ装置が第１の通信速度もしくは前記第１の通信速度より高速な第２の通信速度で相互に通信可能であるように構成されたＰＯＮ（Passive Optical Network）システムにあって、
前記ＯＬＴ装置が備えるコンピュータに、
前記第１の通信速度で通信中に前記ＯＬＴ装置と各々の前記ＯＮＵ装置の間の前記第１の通信速度の通信経路の空き帯域を検出する手順、
前記ＭＰＣＰ部が検出した前記空き帯域が十分であるか否かを判断する手順、
前記空き帯域が十分でない場合に帯域占有率が最も高い前記ＯＮＵ装置を特定すると共に、この特定された前記ＯＮＵ装置との間の通信の前記第２の通信速度への切り替えを前記ＯＬＴ装置が予め備えるＭＰＣＰ（Multi Point Control Protocol）部に指示する手順、
および前記第２の通信速度への切り替え指示に応じて、前記ＯＬＴ装置の前記ＭＰＣＰ部に前記特定されたＯＮＵ装置に対して第１の切り替え指示ＯＡＭフレームを送信させると共に前記ＯＬＴ装置の経路切替制御部に前記第１の通信速度から前記第２の通信速度に前記通信経路を切り替えさせる手順、
を実行させることを特徴とする通信速度切替プログラム。
【発明の詳細な説明】
【技術分野】
【０００１】
本発明はＰＯＮシステム、ＯＬＴ装置、ＯＮＵ装置、ＰＯＮシステムにおける通信速度切替方法およびプログラムに関し、特に通信速度の異なる２通りの通信方式に対応し、かつこの通信方式間の切り替えを効率的に行うことを可能とするＰＯＮシステム等に関する。
【背景技術】
【０００２】
インターネット、特にＦＴＴＨ（Fiber To The Home）などのような高速な通信規格によるインターネットが一般家庭や一般企業に普及するにつれて、同じＦＴＴＨでもより高速かつ大容量の通信が求められている。
【０００３】
より高速かつ大容量の通信を実現するための技術として、光ファイバ回線の途中にカプラなどの光受動部品を挿入して光信号を分岐し、その分岐した光信号を加入者宅に引き込むＰＯＮ（Passive Optical Network）と呼ばれる技術がある。この技術を利用し、イーサネット（Ethernet、登録商標）のデータフレーム（以後単にフレームという）を加入者から交換局までそのまま送受信するという技術が、Ｇ−ＥＰＯＮ（Gigabit Ethernet Passive Optical Network、ＧＥ−ＰＯＮともいう）として標準化（IEEE802.3ah）されている。
【０００４】
このＧ−ＥＰＯＮによって、フレームを他形式に変換する際に発生するオーバーヘッド（遅延）がなくなり、通信速度が最大１Ｇｂｐｓ（Gigabit per minute）のインターネット接続サービスを一般家庭にも提供することが可能になっているが、これを改良して通信速度を１０Ｇｂｐｓにまで向上させた１０Ｇ−ＥＰＯＮ（10Gigabit Ethernet Passive Optical Network）と呼ばれる規格（IEEE802.3av）も開発されている。
【０００５】
Ｇ−ＥＰＯＮおよび１０Ｇ−ＥＰＯＮは、通信速度が異なる点以外は、同一の装置および光ファイバ回線を共用することができ、各装置それぞれの設定を変更するだけで１０Ｇ−ＥＰＯＮとＧ−ＥＰＯＮの間で通信方式を切り替えることができる。このため、１０Ｇ−ＥＰＯＮとＧ−ＥＰＯＮの両方式に対応し、通信速度を１０Ｇｂｐｓと１Ｇｂｐｓとの間で切り替え可能なＰＯＮシステムが開発されている。
【０００６】
図１０は、１０Ｇ−ＥＰＯＮとＧ−ＥＰＯＮの両通信方式に対応した既存のＰＯＮシステム９０１の構成について示す説明図である。ＰＯＮシステム９０１は、事業者側の装置であるＯＬＴ（Optical Line Terminal）装置９１０と、加入者側の装置である１台または複数台のＯＮＵ（Optical Network Unit）装置９２０とが、光ケーブル９３０を介してＰ２ＭＰ（Point to MultiPoint）で接続されて構成される。
【０００７】
ＯＬＴ装置９１０には事業者側の上位装置が、ＯＮＵ装置９２０には加入者側の端末装置が、各々接続される。ＰＯＮシステム９０１では、ＯＬＴ装置９１０からＯＮＵ装置９２０に向けての通信を下り、逆にＯＮＵ装置９２０からＯＬＴ装置９１０に向けての通信を上りという。
【０００８】
図１０では、光ケーブル９３０の途中がカプラ９３１によって分岐され、これによって３台のＯＮＵ装置９２０ａ、９２０ｂ、９２０ｃが接続されているが、この台数はＯＬＴ装置９１０が許容できる範囲内であれば何台でもよい。ＯＮＵ装置９２０ａ、９２０ｂ、９２０ｃの構成は全て同一であり、これらを総称してＯＮＵ装置９２０という。
【０００９】
ＯＬＴ装置９１０とＯＮＵ装置９２０は、上りおよび下り１０Ｇｂｐｓ通信である１０Ｇ−ＥＰＯＮと、上りおよび下り１Ｇｂｐｓ通信であるＧ−ＥＰＯＮのいずれか一方の通信規格を使用して接続することが可能である。１０Ｇ−ＥＰＯＮとＧ−ＥＰＯＮとでは、ここでは同一の光ケーブル９３０を使用する。ただし、１０Ｇ−ＥＰＯＮとＧ−ＥＰＯＮとで各々異なる光ケーブルを使用するようにしてもよい。
【００１０】
ＯＬＴ装置９１０は、光ケーブル９３０を介して光信号を送受信して１Ｇｂｐｓおよび１０Ｇｂｐｓ光信号の多重化および光信号と電気信号の変換とを行う光送受信部９１１と、光送受信部９１１との間で電気信号を送受信してシリアル信号とパラレル信号とを相互に変換するサーデス（SERDES, Serialzer/Deserialzer）部９１２と、サーデス部９１２とパラレル信号を送受信してＰＯＮ回線の終端を行うＰＯＮ終端部９１３とを備える。
【００１１】
ＰＯＮ終端部９１３は、サーデス部９１２とパラレル信号を送受信してＰＯＮ回線を終端するＭＰＣＰ（Multi Point Control Protocol）部９１３ａと、ＭＰＣＰ部９１３ａと送受信するフレームの振り分けおよび集約を行う経路切替部９１３ｂとを備える。
【００１２】
そしてＯＬＴ装置９１０はさらに、経路切替部９１３ｂとフレームを送受信してフレームを一時的に蓄積する記憶装置であるフレームバッファ部９１４と、フレームバッファ部９１４とフレームの送受信を行い上位機器とのネットワーク回線を終端するＳＮＩ（Service Node Interface）終端部９１５とを備える。
【００１３】
一方のＯＮＵ装置９２０は、光ケーブル９３０を介して光信号を送受信する光送受信部９２１と、光送受信部９２１との間で電気信号を送受信してシリアル信号とパラレル信号を変換するサーデス部９２２と、サーデス部９２２とパラレル信号を送受信し、ＰＯＮ回線の終端を行うＰＯＮ終端部９２３とを備える。
【００１４】
光送受信部９２１は、１Ｇｂｐｓおよび１０Ｇｂｐｓ光信号の波長分割および集約を行う光分割部９２１ａと、光分割部９２１ａと１Ｇｂｐｓ光信号を送受信し、光信号と電気信号を変換する１Ｇ光／電気変換部９２１ｂと、光分割部９２１ａと１０Ｇｂｐｓ光信号を送受信し、光信号と電気信号を変換する１０Ｇ光／電気変換部９２１ｃとを備える。
【００１５】
サーデス部９２２は、１Ｇ光／電気変換部９２１ｂと電気信号を送受信してシリアル信号とパラレル信号を変換する１Ｇサーデス部９２２ａと、１Ｇ光／電気変換部９２１ｃと電気信号を送受信してシリアル信号とパラレル信号を変換する１０Ｇサーデス部９２２ｂとを備える。
【００１６】
ＰＯＮ終端部９２３は、１Ｇサーデス部９２２ａおよび１０Ｇサーデス部９２２ｂとパラレル信号を送受信してＰＯＮ回線を終端するＭＰＣＰ部９２３ａと、ＭＰＣＰ部９２３ａと送受信するフレームの振り分けおよび集約を行う経路切替部９２３ｂとを備える。
【００１７】
ＯＮＵ装置９２０はさらに、経路切替部９２３ｂとフレームを送受信してフレームを一時的に蓄積する記憶装置であるフレームバッファ部９２４と、フレームバッファ部９２４とフレームの送受信を行い端末機器とのネットワーク回線を終端するＵＮＩ（User Network Interface）終端部９２５とを備える。
【００１８】
光分割部９２１ａから経路切替部９２３ｂまでの区間について、Ｇ−ＥＰＯＮで通信を行う場合には、１Ｇ光／電気変換部２１ｂ〜１Ｇサーデス部９２２ａ〜ＭＰＣＰ部９２３ａの経路を利用する。対して、１０Ｇ−ＥＰＯＮで通信を行う場合には、１Ｇ光／電気変換部９２１ｃ〜１０Ｇサーデス部９２２ｂ〜ＭＰＣＰ部９２３ａの経路を利用する。
【００１９】
ＯＬＴ装置９１０のＭＰＣＰ部９１３ａは、接続された外部装置９４０からの制御信号によって、通信方式を１０Ｇ−ＥＰＯＮとＧ−ＥＰＯＮとの間で切り替えることが可能である。同様に、ＯＮＵ装置９２０のＭＰＣＰ部９２３ａも、接続された外部装置９４１からの制御信号によって、通信方式を１０Ｇ−ＥＰＯＮとＧ−ＥＰＯＮとの間で切り替えることが可能である。
【００２０】
これに関連して、以下の各々の技術文献がある。その中でも特許文献１には、１Ｇと１０Ｇの通信速度で通信可能なＰＯＮシステムで、１０Ｇ下り方向の通信を使用しない場合にはこの通信に関わる回路の電力消費を停止または低減するという技術が記載されている。特許文献２には、上り方向で異なる通信速度が混在するＰＯＮシステムで、ＯＮＵ装置の側で通信速度に対応する適切な回路を選択可能とする技術が記載されている。特許文献３および特許文献４には、データの「流入速度または流入加速度」を測定し、これに応じて使われていない通信速度に関する回路の動作を休止するというＯＬＴ装置およびＯＮＵ装置が記載されている。
【先行技術文献】
【特許文献】
【００２１】
【特許文献１】特開２００９−０２７５３８号公報
【特許文献２】特開２００９−１８８７７５号公報
【特許文献３】特開２００９−２９６２３１号公報
【特許文献４】特開２００９−２９６２３４号公報
【発明の概要】
【発明が解決しようとする課題】
【００２２】
前述の図１０に示したＰＯＮシステム９０１のＯＬＴ装置９１０およびＯＮＵ装置９２０は、Ｇ−ＥＰＯＮで動作している場合と比べて、１０Ｇ−ＥＰＯＮで動作している場合には、消費電力が大幅に増加する。高速通信であっても消費電力を低減することは、社会的な要求として当然ながら必要なことであるので、ＰＯＮシステム９０１においては消費電力の低減が大きな課題となっている。
【００２３】
ＰＯＮシステム９０１は、１０Ｇ−ＥＰＯＮとＧ−ＥＰＯＮとの間で通信方式を切り替え可能であるので、消費電力を低減するためには、システム全体の通信容量が少なく回線が混雑していない時にはＧ−ＥＰＯＮで通信を行い、通信容量が増大して回線が混雑した場合にのみ１０Ｇ−ＥＰＯＮによる通信を利用することが望ましい。
【００２４】
しかしながら、ＯＬＴ装置９１０もＯＮＵ装置９２０も、接続された外部装置９４０もしくは９４１からの制御信号によってしか、通信方式を切り替えることはできない。通信速度を検出して、それに応じて１０Ｇ−ＥＰＯＮとＧ−ＥＰＯＮとの間で通信方式を切り替えることは、ＯＬＴ装置９１０でもＯＮＵ装置９２０でも不可能である。しかも、この切り替えは通信速度に応じてリアルタイムに行われるものではないので、その切り替えの際に、ユーザごとの通信速度が低下する時間帯が存在する。
【００２５】
さらに、ＯＬＴ装置９１０もＯＮＵ装置９２０も、たとえば１０Ｇ−ＥＰＯＮで動作している間にＧ−ＥＰＯＮ側の回路の動作を停止することはできない。同様に、Ｇ−ＥＰＯＮで動作している間に１０Ｇ−ＥＰＯＮ側の回路の動作を停止することはできない。従って、１０Ｇ−ＥＰＯＮとＧ−ＥＰＯＮとの間で通信方式を切り替えても、消費電力の低減にはならない。
【００２６】
この問題点を解決しうる技術は、前述の特許文献１〜４には記載されていない。特許文献２に記載された「通信速度に対応する適切な回路を選択する」技術は、複数のＯＮＵ装置のデータを時分割によって送信する上り方向についてのみ適用可能なものであり、複数のＯＮＵ装置のデータを異なる波長で送信する下り方向には適用できない。従って、これに特許文献１に記載された「１０Ｇ通信を使用しない場合にこの通信に関わる回路の動作を停止する」技術を組み合わせて「通信速度が低い場合には１Ｇ通信を選択し、１０Ｇ通信に関する回路の動作を停止する」技術とすることは不可能である。
【００２７】
また、特許文献３〜４に記載の「データの流入速度または流入加速度を測定し、これに応じて使われていない通信速度に関する回路の動作を休止する」という技術で測定される「流入速度または流入加速度」は、「通信速度」とは異なる。従って、これを特許文献１もしくは特許文献２の技術で通信速度を検出する手段として利用することはできない。
【００２８】
従って、特許文献１〜４に記載の技術を全て組み合わせること自体が困難であり、組み合わせることができたとしても上記の問題点を解決しうる技術とはならない。
【００２９】
本発明の目的は、消費電力を低減し、効率的な高速通信を可能とするＰＯＮシステム、ＯＬＴ装置、ＯＮＵ装置、ＰＯＮシステムにおける通信速度切替方法およびプログラムを提供することにある。
【課題を解決するための手段】
【００３０】
上記目的を達成するため、本発明に係るＰＯＮシステムは、光ファイバ回線の一端に接続された事業者側通信装置であるＯＬＴ（Optical Line Terminal）装置と、光ファイバ回線の途中に挿入された光受動部品によって分岐された光ファイバ回線の他端に接続された複数台の加入者側通信装置であるＯＮＵ（Optical Network Unit）装置とからなり、ＯＬＴ装置とこれに対応するＯＮＵ装置が第１の通信速度もしくは第１の通信速度より高速な第２の通信速度で相互に通信可能であるように構成されたＰＯＮ（Passive Optical Network）システムであって、ＯＬＴ装置は、第１および第２の通信速度のいずれで通信を行うかを切り替える第１の経路切替部と、ＯＬＴ装置と各々のＯＮＵ装置の間の第１の通信速度の通信経路の空き帯域を検出する第１のＭＰＣＰ（Multi Point Control Protocol）部と、ＭＰＣＰ部が検出した空き帯域が十分であるか否かを判断して空き帯域が十分でない場合に帯域占有率が最も高いＯＮＵ装置を特定し、この特定されたＯＮＵ装置との間の通信の第２の通信速度への切り替えをＭＰＣＰ部に指示する第１の経路切替制御部とを有すると共に、第１の通信速度で通信中に第２の通信速度への切り替えを指示された場合に、第１の経路切替部が第２の通信速度に通信経路を切り替える機能を有すると共に、第１のＭＰＣＰ部が特定されたＯＮＵ装置に対して第１の切り替え指示ＯＡＭフレームを送信する機能を有することを特徴とする。
【００３１】
上記目的を達成するため、本発明に係るＯＬＴ装置は、光受動部品によって分岐された光ファイバ回線に接続された複数台の加入者側通信装置であるＯＮＵ（Optical Network Unit）装置と接続され、各々のＯＮＵ装置と第１の通信速度もしくは第１の通信速度より高速な第２の通信速度で相互に通信可能であるように構成されるＰＯＮ（Passive Optical Network）システムを構築する事業者側通信装置であるＯＬＴ（Optical Line Terminal）装置であって、第１および第２の通信速度のいずれで通信を行うかを切り替える経路切替部と、ＯＬＴ装置と各々のＯＮＵ装置の間の第１の通信速度の通信経路の空き帯域を検出するＭＰＣＰ（Multi Point Control Protocol）部と、ＭＰＣＰ部が検出した空き帯域が十分であるか否かを判断し、空き帯域が十分でない場合に帯域占有率が最も高いＯＮＵ装置を特定し、この特定されたＯＮＵ装置との間の通信の第２の通信速度への切り替えをＭＰＣＰ部に指示する経路切替制御部とを有すると共に、第１の通信速度で通信中に第２の通信速度への切り替えを指示された場合に、経路切替部が第２の通信速度に通信経路を切り替える機能を有すると共に、ＭＰＣＰ部が特定されたＯＮＵ装置に対して第１の切り替え指示ＯＡＭフレームを送信する機能を有することを特徴とする。
【００３３】
上記目的を達成するため、本発明に係る通信速度切替方法は、ＯＬＴ（Optical Line Terminal）装置と、光ファイバ回線の途中に挿入された光受動部品によって分岐された光ファイバ回線の他端に接続された複数台の加入者側通信装置であるＯＮＵ（Optical Network Unit）装置とからなり、ＯＬＴ装置とこれに対応するＯＮＵ装置が第１の通信速度もしくは第１の通信速度より高速な第２の通信速度で相互に通信可能であるように構成されたＰＯＮ（Passive Optical Network）システムにあって、第１の通信速度で通信中にＯＬＴ装置と各々のＯＮＵ装置の間の第１の通信速度の通信経路の空き帯域をＯＬＴ装置の第１のＭＰＣＰ（Multi Point Control Protocol）部が検出し、ＭＰＣＰ部が検出した空き帯域が十分であるか否かをＯＬＴ装置の第１の経路切替制御部が判断し、空き帯域が十分でない場合にＯＬＴ装置の第１の経路切替制御部が帯域占有率が最も高いＯＮＵ装置を特定すると共に、この特定されたＯＮＵ装置との間の通信の第２の通信速度への切り替えをＯＬＴ装置の第１のＭＰＣＰ部に指示し、第２の通信速度への切り替え指示に応じて、ＯＬＴ装置の第１のＭＰＣＰ部が特定されたＯＮＵ装置に対して第１の切り替え指示ＯＡＭフレームを送信すると共にＯＬＴ装置の第１の経路切替部が第１の通信速度から第２の通信速度に通信経路を切り替え、第１の通信速度で通信中にＯＮＵ装置の第２のＭＰＣＰ部がＯＬＴ装置からのＯＡＭフレームを検出し、ＯＮＵ装置の第２のＭＰＣＰ部がＯＬＴ装置からの第１の切り替え指示ＯＡＭフレームを検出した場合に、ＯＮＵ装置の第２の経路切替制御部が、第１の通信速度から第２の通信速度に通信経路を切り替えさせる制御信号と、第２の通信速度で動作する回路への電力供給を開始する制御信号とを発し、この制御信号に応じて、ＯＮＵ装置の第２の経路切替部が第２の通信速度に通信経路を切り替えると共に、ＯＮＵ装置の動作制御部が第１の通信速度で動作する回路への電力供給を停止することを特徴とする。
【００３４】
上記目的を達成するため、本発明に係る通信速度切替プログラムは、光ファイバ回線の一端に接続された事業者側通信装置であるＯＬＴ（Optical Line Terminal）装置と、光ファイバ回線の途中に挿入された光受動部品によって分岐された光ファイバ回線の他端に接続された複数台の加入者側通信装置であるＯＮＵ（Optical Network Unit）装置とからなり、ＯＬＴ装置とこれに対応するＯＮＵ装置が第１の通信速度もしくは第１の通信速度より高速な第２の通信速度で相互に通信可能であるように構成されたＰＯＮ（Passive Optical Network）システムにあって、ＯＬＴ装置が備えるコンピュータに、第１の通信速度で通信中にＯＬＴ装置と各々のＯＮＵ装置の間の第１の通信速度の通信経路の空き帯域を検出する手順、ＭＰＣＰ部が検出した空き帯域が十分であるか否かを判断する手順、空き帯域が十分でない場合に帯域占有率が最も高いＯＮＵ装置を特定すると共に、この特定されたＯＮＵ装置との間の通信の第２の通信速度への切り替えをＯＬＴ装置が予め備えるＭＰＣＰ（Multi Point Control Protocol）部に指示する手順、および第２の通信速度への切り替え指示に応じて、ＯＬＴ装置のＭＰＣＰ部に特定されたＯＮＵ装置に対して第１の切り替え指示ＯＡＭフレームを送信させると共にＯＬＴ装置の経路切替制御部に第１の通信速度から第２の通信速度に通信経路を切り替えさせる手順、を実行させることを特徴とする。
【発明の効果】
【００３６】
本発明は、上記したように通信経路の空き帯域を検出して、空き帯域が十分でない場合に第１から第２の通信速度への切り替えを行うように構成したので、必要な場合にのみＧ−ＥＰＯＮから１０Ｇ−ＥＰＯＮへの切り替えを行って、使用しない回路の動作を停止することが可能となる。これによって、消費電力を低減し、効率的な高速通信が可能であるＰＯＮシステム、ＯＬＴ装置、ＯＮＵ装置、ＰＯＮシステムにおける通信速度切替方法およびプログラムを提供することができる。
【図面の簡単な説明】
【００３７】
【図１】本発明に係るＰＯＮシステムの構成について示す説明図である。
【図２】図１に示したＰＯＮシステムで、ＯＬＴ装置の側での通信速度切り替えの動作について示すフローチャートである。
【図３】図１に示したＰＯＮシステム１で、ＯＮＵ装置の側での通信速度切り替えの動作について示すフローチャートである。
【図４】図２および図３で示したＧ−ＥＰＯＮから１０Ｇ−ＥＰＯＮ、または１０Ｇ−ＥＰＯＮからＧ−ＥＰＯＮへの通信方式の切り替えの様子について示すグラフである。図４（ａ）および（ｂ）は、Ｇ−ＥＰＯＮから１０Ｇ−ＥＰＯＮに切り替える際の、それぞれ下りおよび上り回線の様子である。図４（ｃ）および（ｄ）は、１０Ｇ−ＥＰＯＮからＧ−ＥＰＯＮに切り替える際の、それぞれ下りおよび上り回線の様子である。
【図５】第１の実施形態の拡張に係るＰＯＮシステムの構成について示す説明図である。
【図６】本発明の第２の実施形態に係るＰＯＮシステムの構成について示す説明図である。
【図７】図６に示したＰＯＮシステムで、ＯＬＴ装置の側での通信速度切り替えの動作について示すフローチャートである。
【図８】図６に示したＰＯＮシステムで、ＯＮＵ装置の側での通信速度切り替えの動作について示すフローチャートである。
【図９】第２の実施形態の拡張に係るＰＯＮシステムの構成について示す説明図である。
【図１０】１０Ｇ−ＥＰＯＮとＧ−ＥＰＯＮの両通信方式に対応した既存のＰＯＮシステムの構成について示す説明図である。
【発明を実施するための形態】
【００３８】
（第１の実施形態）
以下、本発明の第１の実施形態の構成について添付図１に基づいて説明する。
最初に、本実施形態の基本的な内容について説明し、その後でより具体的な内容について説明する。
本実施形態に係るＰＯＮシステム１は、光ファイバ回線（光ケーブル３０）の一端に接続された事業者側通信装置であるＯＬＴ（Optical Line Terminal）装置１０と、光ファイバ回線の途中に挿入された光受動部品（カプラ３１）によって分岐された光ファイバ回線の他端に接続された複数台の加入者側通信装置であるＯＮＵ（Optical Network Unit）装置２０とからなり、ＯＬＴ装置１０と各々のＯＮＵ装置２０が第１の通信速度（１Ｇｂｐｓ）もしくは第１の通信速度より高速な第２の通信速度（１０Ｇｂｐｓ）で相互に通信可能であるように構成されたＰＯＮ（Passive Optical Network）システムである。ＯＬＴ装置１０は、第１および第２の通信速度のいずれで通信を行うかを切り替える経路切替部１３ｂと、ＯＬＴ装置と各々のＯＮＵ装置の間の第１の通信速度の通信経路の空き帯域を検出するＭＰＣＰ（Multi Point Control Protocol）部１３ａと、ＭＰＣＰ部が検出した空き帯域が十分であるか否かを判断し、空き帯域が十分でない場合にＭＰＣＰ部に第２の通信速度への切り替えを指示する経路切替制御部１６ａとを有する。そして、第１の通信速度で通信中に経路切替制御部から第２の通信速度への切り替えを指示された場合に、経路切替部が第１の通信速度から第２の通信速度に通信経路を切り替える機能を有し、ＭＰＣＰ部がＯＮＵ装置に対して第１の切り替え指示ＯＡＭフレームを送信する機能を有する。
【００３９】
一方のＯＮＵ装置は、第１および第２の通信速度のいずれの通信経路にデータを送信するかを切り替える経路切替部２３ｂと、第１および第２の通信速度のうち一方の通信速度で通信中に残る一方の通信速度で動作する回路への電力供給を停止する動作制御部２７とを有する。そして、第１の通信速度で通信中にＯＬＴ装置からのＯＡＭフレームを受信した場合にこれを検出するＭＰＣＰ部２３ａと、ＭＰＣＰ部がＯＬＴ装置からの第１の切り替え指示ＯＡＭフレームを検出した場合に、経路切替部に対して第１の通信速度から第２の通信速度に通信経路を切り替えさせる制御信号と、動作制御部に対して第１の通信速度で動作する回路への電力供給を停止する制御信号とを発する経路切替制御部２６ａとを有する。
【００４０】
また、ＯＬＴ装置１０の第１のＭＰＣＰ部１３ａが、第２の通信速度で通信中のＯＮＵ装置の中で第１の通信速度に割り当て可能なＯＮＵ装置が存在するか否かを検出する機能を有し、ＯＬＴ装置の第１の経路切替制御部１６ａが、ＭＰＣＰ部が第１の通信速度に割り当て可能なＯＮＵ装置が存在することを検出した場合にＭＰＣＰ部に通信速度の切り替えを指示する機能を有し、ＯＬＴ装置の第１の経路切替部１３ｂが、第２の通信速度への切り替えを指示された場合に第２の通信速度から第１の通信速度に通信経路を切り替える機能を有すると共に、ＯＬＴ装置の第１のＭＰＣＰ部が、ＯＮＵ装置に対して第２の切り替え指示ＯＡＭフレームを送信するする機能を有する。これに対して、ＯＮＵ装置２０の第２のＭＰＣＰ部２３ａが、ＯＬＴ装置からの第２の切り替え指示ＯＡＭフレームを検出した場合に、経路切替部２３ｂに対して第２の通信速度から第１の通信速度に通信経路を切り替えさせる制御信号と、動作制御部２７に対して第２の通信速度で動作する回路への電力供給を停止する制御信号とを発する機能を有する。
【００４１】
ここで、ＯＬＴ装置１０およびＯＮＵ装置２０は、ＯＬＴ装置からＯＮＵ装置に向けての下り方向通信とＯＮＵ装置からＯＬＴ装置に向けての上り方向通信の双方で第１および第２の通信速度で通信可能であり、かつ第１および第２の通信速度の切り替えを下り方向通信と上り方向通信とで同時に行う。
【００４２】
以上の構成を備えることにより、ＰＯＮシステム１は必要な場合にのみＧ−ＥＰＯＮから１０Ｇ−ＥＰＯＮへの通信方式の切り替えを行うことが可能となる。これによって、消費電力を低減し、効率的な高速通信が可能となる。
以下、これをより詳細に説明する。
【００４３】
図１は、本発明に係るＰＯＮシステム１の構成について示す説明図である。ＰＯＮシステム１は、事業者側の装置であるＯＬＴ装置１０と、加入者側の装置である１台または複数台のＯＮＵ装置２０とが、光ケーブル３０を介してＰ２ＭＰで接続されて構成される。ＯＬＴ装置１０には事業者側の上位装置が、ＯＮＵ装置２０には加入者側の端末装置が、各々接続される。ＰＯＮシステム１では、ＯＬＴ装置１０からＯＮＵ装置２０に向けての通信を下り、逆にＯＮＵ装置２０からＯＬＴ装置１０に向けての通信を上りという。
【００４４】
図１では、光ケーブル３０の途中がカプラ３１によって分岐され、これによって３台のＯＮＵ装置２０ａ、２０ｂ、２０ｃが接続されているが、この台数はＯＬＴ装置１０が許容できる範囲内（通常は３２台もしくは６４台）であれば何台でもよい。ＯＮＵ装置２０ａ、２０ｂ、２０ｃの構成は全て同一であり、これらを総称してＯＮＵ装置２０という。
【００４５】
ＯＬＴ装置１０とＯＮＵ装置２０は、上りおよび下り１０Ｇｂｐｓ通信である１０Ｇ−ＥＰＯＮと、上りおよび下り１Ｇｂｐｓ通信であるＧ−ＥＰＯＮのいずれか一方の通信規格を使用して接続することが可能である。１０Ｇ−ＥＰＯＮとＧ−ＥＰＯＮとでは、ここでは同一の光ケーブル３０を使用し、この光ケーブル３０の中に下り方向の１０Ｇ−ＥＰＯＮ、下り方向のＧ−ＥＰＯＮ、および上り方向の１０Ｇ−ＥＰＯＮとＧ−ＥＰＯＮ（時分割）、以上の各々に対応する通信回線を論理的に構築する。ただし、後述するように１０Ｇ−ＥＰＯＮとＧ−ＥＰＯＮとで各々異なる光ケーブルに論理的通信回線を構築するようにしてもよい。
【００４６】
また、ＯＬＴ装置１０およびＯＮＵ装置２０は、１０Ｇ−ＥＰＯＮとＧ−ＥＰＯＮとの間の通信方式の切り替えを、上り側と下り側とで同時に行う。即ち、例えば下り側でＧ−ＥＰＯＮから１０Ｇ−ＥＰＯＮへの切り替えを行ったら、上り側でもＧ−ＥＰＯＮから１０Ｇ−ＥＰＯＮに切り替える。１０Ｇ−ＥＰＯＮからＧ−ＥＰＯＮに切り替える場合も同様である。
【００４７】
ＯＬＴ装置１０は、光ケーブル３０を介して光信号を送受信して１Ｇｂｐｓおよび１０Ｇｂｐｓ光信号の多重化および光信号と電気信号の変換とを行う光送受信部１１と、光送受信部１１との間で電気信号を送受信してシリアル信号とパラレル信号とを相互に変換するサーデス（SERDES, Serialzer/Deserialzer）部１２と、サーデス部１２とパラレル信号を送受信してＰＯＮ回線の終端を行うＰＯＮ終端部１３とを備える。
【００４８】
ＰＯＮ終端部１３は、サーデス部１２とパラレル信号を送受信してＰＯＮ回線を終端するＭＰＣＰ（Multi Point Control Protocol）部１３ａと、ＭＰＣＰ部１３ａと送受信するフレームの振り分けおよび集約を行う経路切替部１３ｂとを備える。
【００４９】
そしてＯＬＴ装置１０はさらに、経路切替部１３ｂとフレームを送受信してフレームを一時的に蓄積する記憶装置であるフレームバッファ部１４と、フレームバッファ部１４とフレームの送受信を行い上位機器とのネットワーク回線を終端するＳＮＩ（Service Node Interface）終端部１５と、経路切替部１３ｂおよびＭＰＣＰ部１３ａを制御するコンピュータプログラムである経路切替制御部１６ａが動作するプロセッサ１６とを備える。
【００５０】
経路切替制御部１６ａは、ＭＰＣＰ部１３ａを制御してＧ−ＥＰＯＮの帯域監視とＯＮＵ装置のリンク速度変更を行い、さらに経路切替部１３ｂを制御して各ＯＮＵ装置ごとのフレーム量の監視とフレーム振り分け先変更を行う機能を有する。
【００５１】
一方のＯＮＵ装置２０は、光ケーブル３０を介して光信号を送受信する光送受信部２１と、光送受信部２１との間で電気信号を送受信してシリアル信号とパラレル信号を変換するサーデス部２２と、サーデス部２２とパラレル信号を送受信し、ＰＯＮ回線の終端を行うＰＯＮ終端部２３とを備える。
【００５２】
光送受信部２１は、１Ｇｂｐｓおよび１０Ｇｂｐｓ光信号の波長分割および集約を行う光分割部２１ａと、光分割部２１ａと１Ｇｂｐｓ光信号を送受信し、光信号と電気信号を変換する１Ｇ光／電気変換部２１ｂと、光分割部２１ａと１０Ｇｂｐｓ光信号を送受信し、光信号と電気信号を変換する１０Ｇ光／電気変換部２１ｃとを備える。
【００５３】
サーデス部２２は、１Ｇ光／電気変換部２１ｂと電気信号を送受信してシリアル信号とパラレル信号を変換する１Ｇサーデス部２２ａと、１Ｇ光／電気変換部２１ｂと電気信号を送受信してシリアル信号とパラレル信号を変換する１０Ｇサーデス部２２ｂとを備える。
【００５４】
ＰＯＮ終端部２３は、１Ｇサーデス部２２ａおよび１０Ｇサーデス部２２ｂとパラレル信号を送受信してＰＯＮ回線を終端するＭＰＣＰ部２３ａと、ＭＰＣＰ部２３ａと送受信するフレームの振り分けおよび集約を行う経路切替部２３ｂとを備える。
【００５５】
ＯＮＵ装置２０は、さらに経路切替部２３ｂとフレームを送受信してフレームを一時的に蓄積する記憶装置であるフレームバッファ部２４と、フレームバッファ部２４とフレームの送受信を行い上位機器とのネットワーク回線を終端するＵＮＩ（User Network Interface）終端部２５と、光送受信部２１、サーデス部２２およびＰＯＮ終端部２３の動作を制御するコンピュータプログラムである経路切替制御部２６ａが動作するプロセッサ２６と、経路切替制御部２６ａからの制御信号によって光送受信部２１およびサーデス部２２の動作およびこれらへの電力供給を制御する動作制御部２７とを備える。
【００５６】
経路切替制御部２６ａは、経路切替部２３ｂを制御してフレーム振り分け先を変更する機能と、ＭＰＣＰ部２３ａを制御してＯＮＵ装置のリンク速度変更および動作制御部２７に通信に必要な経路情報を通知する機能とを備える。
【００５７】
ＯＮＵ装置２０内部で、光分割部２１ａから経路切替部２３ｂまでの区間について、Ｇ−ＥＰＯＮで通信を行う場合には、１Ｇ光／電気変換部２１ｂ〜１Ｇサーデス部２２ａ〜ＭＰＣＰ部２３ａの経路を利用する。対して、１０Ｇ−ＥＰＯＮで通信を行う場合には、１Ｇ光／電気変換部２１ｂ〜１０Ｇサーデス部２２ｂおよびＭＰＣＰ部２３ａの経路を利用する。
以上の各部の機能と動作について、より詳細には次段から説明する。
【００５８】
（ＯＬＴ装置各部の動作）
まず、ＯＬＴ装置１０の各部の動作について説明する。光送受信部１１は、光ケーブル３０およびカプラ３１を介してＯＮＵ装置２０から受信した１Ｇｂｐｓ光信号および１０Ｇｂｐｓ光信号を１Ｇｂｐｓ電気シリアル信号および１０Ｇｂｐｓ電気シリアル信号に各々変換して、サーデス部１２へ送信する。一方、サーデス部１２から受信した１Ｇｂｐｓ電気シリアル信号および１０Ｇｂｐｓ電気シリアル信号を異なる波長の１Ｇｂｐｓ光信号および１０Ｇｂｐｓ光信号に各々変換し、それらを多重化し、光ケーブル３０およびカプラ３１を介してＯＮＵ装置２０へ送信する。
【００５９】
サーデス部１２は、光送受信部１１から受信した１Ｇｂｐｓシリアル信号および１０Ｇｂｐｓシリアル信号を１Ｇｂｐｓパラレル信号および１０Ｇｂｐｓパラレル信号に各々変換してＭＰＣＰ部１３ａに送信する。一方、ＭＰＣＰ部１３ａから受信した１Ｇｂｐｓパラレル信号および１０Ｇｂｐｓパラレル信号を１Ｇｂｐｓシリアル信号および１０Ｇｂｐｓシリアル信号に各々変換して光送受信部１１に送信する。
【００６０】
ＭＰＣＰ部１３ａは、ＯＮＵ装置２０との１０Ｇ−ＥＰＯＮまたはＧ−ＥＰＯＮにおけるロジカルリンク（Logical Link, 論理的な接続）を確立、維持およびＰＯＮ区間上り通信の制御のためのＭＰＣＰを実行する。現在確立されている通信のロジカルリンクでの空き帯域の検出も、ＭＰＣＰ部１３ａで行う。また、サーデス部１２から受信したフレームを経路切替部１３ｂへ送信し、経路切替部１３ｂから受信したフレームをサーデス部１２へ送信する。さらに、経路切替制御部１６ａから受信したリンク速度の切り替えを指示するＯＡＭ（Operations, Administration, Maintenance）フレームを対象となるＯＮＵ装置へ送信する。
【００６１】
経路切替部１３ｂは、ＭＰＣＰ部１３ａから受信した１０Ｇ−ＥＰＯＮおよびＧ−ＥＰＯＮのフレームを集約してフレームバッファ部１４に送信する。一方、フレームバッファ部１４から受信したフレームを１０Ｇ−ＥＰＯＮとＧ−ＥＰＯＮとの間で振り分けを行ってＭＰＣＰ部１３ａへ送信する。また、経路切替制御部１６ａからの通知に基づいて、特定ＯＮＵ装置向けのフレームの送信先を１０Ｇ−ＥＰＯＮとＧ−ＥＰＯＮとの間で切り替える。
【００６２】
フレームバッファ部１４は、経路切替部１３ｂから受信したフレームを一時的に蓄積してＳＮＩ終端部１５へ送信する。一方、ＳＮＩ終端部１５から受信したフレームを一時的に蓄積して経路切替部１３ｂへ送信する。
【００６３】
ＳＮＩ終端部１５は、フレームバッファ部１４から受信したフレームを上位機器とのネットワークに適した信号に変換して送信する。一方、上位機器から受信した信号を装置内部のデータ転送に適した信号（フレーム）に変換してフレームバッファ部１４に送信する。
【００６４】
経路切替制御部１６ａは、ＭＰＣＰ部１３ａを通してＧ−ＥＰＯＮによる通信の帯域を監視する。Ｇ−ＥＰＯＮにおける上り又は下り帯域の通信量が飽和していることを検出した場合、経路切替制御部１６ａは、経路切替部１３ｂを流れる上りおよび下りフレーム量を監視して、Ｇ−ＥＰＯＮで通信しているＯＮＵ装置の中で帯域占有率の最も高いＯＮＵ装置に対して１０Ｇ−ＥＰＯＮを利用した通信に切り替えるよう、ＭＰＣＰ部１３ａを介して切り替え指示のＯＡＭフレームを送信する。ＭＰＣＰ部１３ａを監視して該当ＯＮＵ装置が１０Ｇ−ＥＰＯＮでのロジカルリンクが確立されたことを検知した場合、経路切替制御部１６ａは、経路切替部１３ｂに対して、該当ＯＮＵ装置向けの下りフレームの送信先を１０Ｇ−ＥＰＯＮに切り替えさせる制御指示を行う。
【００６５】
一方、経路切替部１３ｂを監視して１０Ｇ−ＥＰＯＮで通信しているいずれかのＯＮＵ装置の上りおよび下りフレーム量が、ＭＰＣＰ部１３ａを監視してＧ−ＥＰＯＮの空き帯域を利用して通信できることを検出した場合、経路切替制御部１６ａは、該当ＯＮＵ装置に対してＧ−ＥＰＯＮを利用した通信に切り替えるよう、ＭＰＣＰ部１３ａを介して切り替え指示のＯＡＭフレームを送信する。ＭＰＣＰ部１３ａを監視して、該当ＯＮＵ装置がＧ−ＥＰＯＮでのロジカルリンクが確立されたことを検知した場合、経路切替制御部１６ａは、経路切替部１３ｂを制御して、該当ＯＮＵ装置向けの下りフレームの送信先をＧ−ＥＰＯＮに切り替えさせる制御指示を行う。
【００６６】
（ＯＮＵ装置各部の動作）
次に、ＯＮＵ装置２０の各部の動作について説明する。光分割部２１ａは、光ケーブル３０およびカプラ３１を介してＯＬＴ装置１０から受信した異なる波長の１Ｇｂｐｓ光信号および１０Ｇｂｐｓ光信号の波長分割を行い、１Ｇｂｐｓ光信号を１Ｇ光／電気変換部２１ｂへ、１０Ｇｂｐｓ光信号を１Ｇ光／電気変換部２１ｂへ各々送信する。一方、１Ｇ光／電気変換部２１ｂから受信した１Ｇｂｐｓ光信号と１Ｇ光／電気変換部２１ｂから受信した１０Ｇｂｐｓ光信号を光ケーブル３０およびカプラ３１を介してＯＮＵ装置２０へ送信する。
【００６７】
１Ｇ光／電気変換部２１ｂは、光分割部２１ａから受信した１Ｇｂｐｓ光信号を１Ｇｂｐｓ電気シリアル信号に変換して、１Ｇサーデス部２２ａに送信する。一方、１Ｇサーデス部２２ａから受信した１Ｇｂｐｓ電気シリアル信号を１Ｇｂｐｓ光信号に変換して、光分割部２１ａへ送信する。また、動作制御部２７からの通知に応じて動作開始および停止する。
【００６８】
１０Ｇ光／電気変換部２１ｃは、光分割部２１ａから受信した１０Ｇｂｐｓ光信号を１０Ｇｂｐｓ電気シリアル信号に変換して、１０Ｇサーデス部２２ｂに送信する。一方、１０Ｇサーデス部２２ｂから受信した１０Ｇｂｐｓ電気シリアル信号を１０Ｇｂｐｓ光信号に変換して、光分割部２１ａへ送信する。また、動作制御部２７からの通知に応じて動作開始および停止する。
【００６９】
１Ｇサーデス部２２ａは、１Ｇ光／電気変換部２１ｂから受信した１Ｇｂｐｓシリアル信号を１Ｇｂｐｓパラレル信号に変換してＭＰＣＰ部２３ａに送信する。一方、ＭＰＣＰ部２３ａから受信した１Ｇｂｐｓパラレル信号を１Ｇｂｐｓシリアル信号に変換して１Ｇ光／電気変換部２１ｂに送信する。また、動作制御部２７からの通知に応じて動作開始および停止する。
【００７０】
１０Ｇサーデス部２２ｂは、１０Ｇ光／電気変換部２１ｃから受信した１０Ｇｂｐｓシリアル信号を１０Ｇｂｐｓパラレル信号に変換してＭＰＣＰ部２３ａに送信する。一方、ＭＰＣＰ部２３ａから受信した１０Ｇｂｐｓパラレル信号を１０Ｇｂｐｓシリアル信号に変換して１０Ｇ光／電気変換部２１ｃに送信する。また、動作制御部２７からの通知に応じて動作開始および停止する。
【００７１】
ＭＰＣＰ部２３ａは、ＯＬＴ装置１０との１０Ｇ−ＥＰＯＮまたはＧ−ＥＰＯＮにおけるロジカルリンクを確立・維持およびＰＯＮ区間上り通信の制御をするためにＭＰＣＰを実行する。ＭＰＣＰ部２３ａはまた、１Ｇサーデス部２２ａおよび１０Ｇサーデス部２２ｂから受信したフレームのうちユーザートラフィックを経路切替部２３ｂに、リンク速度の切替を通知するＯＡＭフレームを経路切替制御部２６ａに各々送信する。
【００７２】
一方、経路切替部２３ｂから受信したフレームを、Ｇ−ＥＰＯＮで通信する場合は１Ｇサーデス部２２ａへ、１０Ｇ−ＥＰＯＮで通信する場合は１０Ｇサーデス部２２ｂへ送信する。さらに、経路切替制御部２６ａからの制御信号に従って、１０Ｇ−ＥＰＯＮまたはＧ−ＥＰＯＮのロジカルリンク確立およびロジカルリンク解除を行う。
【００７３】
経路切替部２３ｂは、ＭＰＣＰ部２３ａから受信した１０Ｇ−ＥＰＯＮのフレームとＧ−ＥＰＯＮのフレームを集約してフレームバッファ部２４に送信する。一方、フレームバッファ部２４から受信したフレームを１０Ｇ−ＥＰＯＮとＧ−ＥＰＯＮとの間で振り分けを行い、ＭＰＣＰ部２３ａへ送信する。また、経路切替制御部２６ａからの制御信号に従って、ＯＬＴ装置１０向けのフレームの送信先を１０Ｇ−ＥＰＯＮとＧ−ＥＰＯＮの間で切り替える。
【００７４】
フレームバッファ部２４は、経路切替部２３ｂから受信したフレームを一時的に蓄積してＵＮＩ終端部２５へ送信する。一方、ＵＮＩ終端部２５から受信したフレームを一時的に蓄積して経路切替部２３ｂへ送信する。
【００７５】
ＵＮＩ終端部２５は、フレームバッファ部から受信したフレームを端末機器（パーソナルコンピュータなど）とのネットワークに適した信号（たとえば１０００ＢＡＳＥ−Ｔなど）に置き換えて送信する。一方、端末機器から受信した信号を装置内部のデータ転送に適した信号（フレーム）に置き換えてフレームバッファ部２４に送信する。
【００７６】
経路切替制御部２６ａは、１０Ｇ−ＥＰＯＮを利用した通信への切り替えを指示するＯＡＭフレームを受け取ると、動作制御部２７に１０Ｇ−ＥＰＯＮ用の回路の動作開始を指示し、動作開始したことを検知すると、ＭＰＣＰ部２３ａを制御して１０Ｇ−ＥＰＯＮのロジカルリンクを確立させる。ＭＰＣＰ部２３ａを監視して、１０Ｇ−ＥＰＯＮでのロジカルリンクが確立されたことを検知すると、経路切替部２３ｂを制御して、ＯＬＴ装置１０向けの上りフレームの送信先を１０Ｇ−ＥＰＯＮに切り替え、切替が完了したことを検知すると、動作制御部２７を制御して、Ｇ−ＥＰＯＮ用の回路の動作とこの回路への電力の供給を停止させる。
【００７７】
一方、Ｇ−ＥＰＯＮを利用した通信への切り替えを指示するＯＡＭフレームを受け取った経路切替制御部２６ａは、動作制御部２７にＧ−ＥＰＯＮ用の回路の動作開始を指示し、動作開始したことを検知すると、ＭＰＣＰ部２３ａを制御してＧ−ＥＰＯＮのロジカルリンクを確立させる。ＭＰＣＰ部２３ａを監視して、Ｇ−ＥＰＯＮでのロジカルリンクが確立されたことを検知すると、経路切替部２３ｂを制御して、ＯＬＴ装置１０向けの上りフレームの送信先をＧ−ＥＰＯＮに切り替え、切替が完了したことを検知すると、動作制御部２７を制御して、１０Ｇ−ＥＰＯＮ用の回路の動作を停止させる。
【００７８】
動作制御部２７は、経路切替制御部２６ａからの制御信号に従って、Ｇ−ＥＰＯＮで通信する場合は、Ｇ−ＥＰＯＮで使用する１Ｇサーデス部２２ａと１Ｇ光／電気変換部２１ｂに電力を供給して動作を開始させ、１０Ｇ−ＥＰＯＮで使用する１０Ｇサーデス部２２ｂと１０Ｇ光／電気変換部２１ｃの動作とこれらの回路への電力の供給を停止させる。一方、１０Ｇ−ＥＰＯＮで通信する場合は、１０Ｇ−ＥＰＯＮで使用する１０Ｇサーデス部２２ｂと１０Ｇ光／電気変換部２１ｃに電力を供給しての動作を開始させ、Ｇ−ＥＰＯＮで使用する１Ｇサーデス部２２ａと１Ｇ光／電気変換部２１ｂの動作とこれらの回路への電力の供給を停止させる。
【００７９】
（通信速度切り替えのフローチャート）
図２は、図１に示したＰＯＮシステム１で、ＯＬＴ装置１０の側での通信速度切り替えの動作について示すフローチャートである。図３は、図１に示したＰＯＮシステム１で、ＯＮＵ装置２０の側での通信速度切り替えの動作について示すフローチャートである。初期状態では、ＯＬＴ装置１０と全てのＯＮＵ装置２０とはＧ−ＥＰＯＮで通信しているものとする。
【００８０】
まずＯＬＴ装置１０の側で、経路切替制御部１６ａはＭＰＣＰ部１３ａを監視してＧ−ＥＰＯＮの下り側回線に空き帯域が十分にあるか否かを判断し（図２・ステップＳ１０１）、続いてＧ−ＥＰＯＮの上り側回線に空き帯域が十分にあるか否かを判断する（図２・ステップＳ１０２）。Ｇ−ＥＰＯＮの下り側と上り側のいずれにも空き帯域が十分にあれば、図２・ステップＳ１０１〜１０２の判断を繰り返す。ここで、下り側と上り側の空き帯域についての判断は、空き帯域が「０」になったか否かを判断するようにしてもよいし、あるいは空き帯域が特定の閾値以下になったか否かを判断するようにしてもよい。
【００８１】
Ｇ−ＥＰＯＮの下り側と上り側のいずれかに空き帯域が十分ではなくなれば（図２・ステップＳ１０１または１０２のいずれかがイエス）、経路切替制御部１６ａは経路切替部１３ｂを監視して、Ｇ−ＥＰＯＮで通信している各ＯＮＵ装置２０ごとのフレーム量を比較して、帯域占有率が最も高いＯＮＵ装置２０を割り出して、そのＯＮＵ装置２０の通信経路を１０Ｇ−ＥＰＯＮに切り替えることを指示するＯＡＭフレームを送信する（図２・ステップＳ１０３）。
【００８２】
１０Ｇ−ＥＰＯＮへの切り替え指示のＯＡＭフレームを受信したＯＮＵ装置２０では（図３・ステップＳ２０１）、経路切替制御部２６ａが動作制御部２７に対して１０Ｇ−ＥＰＯＮ用回路の動作を開始させる制御信号を発信する。この制御信号を受けた動作制御部２７は、１０Ｇ光／電気変換部２１ｃおよび１０Ｇサーデス部２２ｂに対して電力供給を開始し、動作開始の制御信号を発信する（図３・ステップＳ２０２）。これと同時に、動作制御部２７は経路切替制御部２６ａに対して、１０Ｇ−ＥＰＯＮ用回路の動作が開始されたことを通知する。
【００８３】
この通知を受けた経路切替制御部２６ａは、ＭＰＣＰ部２３ａに対してロジカルリンクを確立させる制御信号を発信する。この制御信号を受けたＭＰＣＰ部２３ａは、１０Ｇ−ＥＰＯＮのディスカバリーゲート（Discovory Gate）に対してレジスターリクエスト（Register Request）を送信し、ロジカルリンクを確立させる（図２・ステップＳ１０４、および図３・ステップＳ２０３）。
【００８４】
そして、１０Ｇ−ＥＰＯＮのロジカルリンクが確立すると、ＯＬＴ装置１０では経路切替制御部１６ａがＯＮＵ装置２０向けのフレームの転送先を１０Ｇ−ＥＰＯＮに送信するよう経路切替部１３ｂを制御する（図２・ステップＳ１０５）。
【００８５】
これと同時に、ＯＮＵ装置２０でも、ＯＬＴ装置１０向けのフレームの転送先を１０Ｇ−ＥＰＯＮに送信するよう経路切替部２３ｂを制御する（図３・ステップＳ２０４）。それと共に、経路切替制御部２６ａは、１０Ｇ−ＥＰＯＮでの通信が開始されたことを確認してから、動作制御部２７にＧ−ＥＰＯＮ用回路の動作を停止させる制御信号を発信する。これを受けた動作制御部２７は、１Ｇ光／電気変換部２１ｂおよび１Ｇサーデス部２２ａの動作を停止させ、電力供給を停止する（図３・ステップＳ２０５）。
【００８６】
１０Ｇ−ＥＰＯＮでの通信中、ＯＬＴ装置１０の経路切替制御部１６ａは、ＭＰＣＰ部１３ａを監視して、１０Ｇ−ＥＰＯＮおよびＧ−ＥＰＯＮで通信している各々のＯＮＵ装置２０との間の通信量を検出し「１０Ｇ−ＥＰＯＮで通信しているＯＮＵ装置２０の中で最も下り通信量の少ないＯＮＵ装置２０の下り通信量」≦「Ｇ−ＥＰＯＮの下り通信経路の空き容量」であるか否か、即ち「１０Ｇ−ＥＰＯＮで通信しているＯＮＵ装置２０の中で下り通信量がＧ−ＥＰＯＮに割り当て可能なものがあるか否か」を判断する（図２・ステップＳ１０６）。
【００８７】
ステップＳ１０６がイエスとなれば、これに続いて経路切替制御部１６ａは、ステップＳ１０６で「下り通信量がＧ−ＥＰＯＮに割り当て可能」と判断されたＯＮＵ装置２０について「そのＯＮＵ装置２０の上り通信量」≦「Ｇ−ＥＰＯＮの上り通信経路の空き容量」であるか否か、即ち「そのＯＮＵ装置２０の上り通信量がＧ−ＥＰＯＮに割り当て可能か否か」を判断する（図２・ステップＳ１０７）。図２のステップＳ１０６〜１０７の両方がイエスとならなければ、これらの判断を繰り返す。
【００８８】
図２のステップＳ１０６〜１０７の両方がイエスとなれば、これは即ち現在１０Ｇ−ＥＰＯＮで通信しているＯＮＵ装置２０の中に、Ｇ−ＥＰＯＮでの通信に切り替えることが可能なものがあるということを意味する。その場合、該当するＯＮＵ装置２０を１０Ｇ−ＥＰＯＮからＧ−ＥＰＯＮに、通信経路を切り替える動作を行う。その場合、ＯＬＴ装置１０の経路切替制御部１６ａは、該当するＯＮＵ装置２０に対して通信経路をＧ−ＥＰＯＮに切り替えることを指示するＯＡＭフレームを送信する（図２・ステップＳ１０８）。
【００８９】
Ｇ−ＥＰＯＮへの切り替え指示のＯＡＭフレームを受信したＯＮＵ装置２０では（図３・ステップＳ２０６）、経路切替制御部２６ａが動作制御部２７に対してＧ−ＥＰＯＮ用回路の動作を開始させる制御信号を発信する。この制御信号を受けた動作制御部２７は、１Ｇ光／電気変換部２１ｂおよび１Ｇサーデス部２２ａに対して電力供給を開始し、動作開始の制御信号を発信する（図３・ステップＳ２０７）。これと同時に、動作制御部２７は経路切替制御部２６ａに対して、Ｇ−ＥＰＯＮ用回路の動作が開始されたことを通知する。
【００９０】
この通知を受けた経路切替制御部２６ａは、ＭＰＣＰ部２３ａに対してロジカルリンクを確立させる制御信号を発信する。この制御信号を受けたＭＰＣＰ部２３ａは、Ｇ−ＥＰＯＮのディスカバリーゲート（Discovory Gate）に対してレジスターリクエスト（Register Request）を送信し、ロジカルリンクを確立させる（図２・ステップＳ１０９、および図３・ステップＳ２０８）。
【００９１】
そして、Ｇ−ＥＰＯＮのロジカルリンクが確立すると、ＯＬＴ装置１０では経路切替制御部１６ａがＯＮＵ装置２０向けのフレームの転送先をＧ−ＥＰＯＮに送信するよう経路切替部１３ｂを制御する（図２・ステップＳ１１０）。
【００９２】
これと同時に、ＯＮＵ装置２０でも、ＯＬＴ装置１０向けのフレームの転送先をＧ−ＥＰＯＮに送信するよう経路切替部２３ｂを制御する（図３・ステップＳ２０９）。それと共に、経路切替制御部２６ａは、１０Ｇ−ＥＰＯＮでの通信が開始されたことを確認してから、動作制御部２７にＧ−ＥＰＯＮ用回路の動作を停止させる制御信号を発信する。これを受けた動作制御部２７は、１０Ｇ光／電気変換部２１ｃおよび１０Ｇサーデス部２２ｂの動作を停止させ、電力供給を停止する（図３・ステップＳ２１０）。
【００９３】
ＯＬＴ装置１０で図２のステップＳ１１０が終わって、１０Ｇ−ＥＰＯＮでの動作を終えてＧ−ＥＰＯＮで動作を開始すると、ステップＳ１０１の動作に戻る。ＯＮＵ装置２０でも、図３のステップＳ２１０が終わって、１０Ｇ−ＥＰＯＮでの動作を終えてＧ−ＥＰＯＮで動作を開始すると、ステップＳ２０１の動作に戻る。
【００９４】
（通信方式の切り替えの様子）
図４は、図２および図３で示したＧ−ＥＰＯＮから１０Ｇ−ＥＰＯＮ、または１０Ｇ−ＥＰＯＮからＧ−ＥＰＯＮへの通信方式の切り替えの様子について示すグラフである。図４（ａ）および（ｂ）は、Ｇ−ＥＰＯＮから１０Ｇ−ＥＰＯＮに切り替える際の、それぞれ下りおよび上り回線の様子である。図４（ｃ）および（ｄ）は、１０Ｇ−ＥＰＯＮからＧ−ＥＰＯＮに切り替える際の、それぞれ下りおよび上り回線の様子である。各々、ＯＬＴ装置１０には、ＯＮＵ装置２０ａ〜２０ｅという５台のＯＮＵ装置２０が接続されている。
【００９５】
図４は、グラフの横軸が１Ｇｂｐｓ（Ｇ−ＥＰＯＮの場合）または１０Ｇｂｐｓ（１０Ｇ−ＥＰＯＮの場合）を示し、各々のＯＮＵ装置２０の通信容量の１Ｇｂｐｓまたは１０Ｇｂｐｓに対する比率が各ブロックの横幅で示される。
【００９６】
下り回線ではＧ−ＥＰＯＮと１０Ｇ−ＥＰＯＮは各々異なる波長を使用してデータを送信するので、図４（ａ）および（ｃ）ではＧ−ＥＰＯＮと１０Ｇ−ＥＰＯＮとを別々の横軸としている。これに対して、上り回線ではＧ−ＥＰＯＮと１０Ｇ−ＥＰＯＮは同一の波長を時分割してデータを送信するので、図４（ｂ）および（ｄ）ではＧ−ＥＰＯＮと１０Ｇ−ＥＰＯＮとを同一の横軸としている。
【００９７】
図４（ａ）には、ＯＮＵ装置２０ａ、２０ｂ、２０ｃの３台がＧ−ＥＰＯＮで通信していて、ＯＮＵ装置２０ｄ、２０ｅの２台が１０Ｇ−ＥＰＯＮで通信している状態を示している。ここで、Ｇ−ＥＰＯＮで通信している各ＯＮＵ装置２０ａ〜２０ｃの下り通信容量の合計が１Ｇｂｐｓに逼迫して、Ｇ−ＥＰＯＮ側の回線に空き容量がなくなった。
【００９８】
この場合、図２のステップＳ１０１がイエスとなり、Ｇ−ＥＰＯＮで通信している各ＯＮＵ装置２０の中で最も帯域占有率が高い「ＯＮＵ装置２０ａ」が、１０Ｇ−ＥＰＯＮに切り替えられる対象となる。下り側回線が切り替えられると同時に、図４（ｂ）に示す上り側回線も切り替えられる。また、上り側回線においてＧ−ＥＰＯＮで通信している各ＯＮＵ装置２０の上り通信容量の合計が１Ｇｂｐｓを越えた場合にも、同様の切り替え動作が行われる。
【００９９】
図４（ｃ）および図４（ｄ）には、下りおよび上りのいずれの回線についても、Ｇ−ＥＰＯＮで通信している各ＯＮＵ装置２０の通信容量が少なくなって、１０Ｇ−ＥＰＯＮで通信している各ＯＮＵ装置２０の中で最も帯域占有率が低い「ＯＮＵ装置２０ａ」をＧ−ＥＰＯＮ側に割り当てられるだけの余裕がＧ−ＥＰＯＮ側の通信容量に生じた状態を示している。
【０１００】
この場合、図２のステップＳ１０６〜１０７が両方ともイエスとなり、１０Ｇ−ＥＰＯＮで通信している各ＯＮＵ装置２０の中で最も帯域占有率が低い「ＯＮＵ装置２０ａ」が、Ｇ−ＥＰＯＮに切り替えられる対象となる。図４（ｃ）および図４（ｄ）に示すように、下り側回線と上り側回線とが同時に切り替えられる。
【０１０１】
（第１の実施形態の全体的な動作）
次に、上記の実施形態の全体的な動作について説明する。本実施形態に係る通信速度切替方法は、光ファイバ回線の一端に接続された事業者側通信装置であるＯＬＴ（Optical Line Terminal）装置と、光ファイバ回線の途中に挿入された光受動部品によって分岐された光ファイバ回線の他端に接続された複数台の加入者側通信装置であるＯＮＵ（Optical Network Unit）装置とからなり、ＯＬＴ装置とこれに対応するＯＮＵ装置が第１の通信速度もしくは第１の通信速度より高速な第２の通信速度で相互に通信可能であるように構成されたＰＯＮ（Passive Optical Network）システム１にあって、ＯＬＴ装置と各々のＯＮＵ装置の間の第１の通信速度の通信経路の空き帯域をＯＬＴ装置のＭＰＣＰ（Multi Point Control Protocol）部が検出し、ＭＰＣＰ部が検出した空き帯域が十分であるか否かをＯＬＴ装置の経路切替制御部が判断し（図２・ステップＳ１０１〜１０２）、空き帯域が十分でない場合にＯＬＴ装置の経路切替制御部がＯＬＴ装置のＭＰＣＰ部に第２の通信速度への切り替えを指示し、第２の通信速度への切り替え指示に応じて、ＯＬＴ装置のＭＰＣＰ部が帯域占有率の最も高いＯＮＵ装置に対して第１の切り替え指示ＯＡＭフレームを送信すると共に（図２・ステップＳ１０４）ＯＬＴ装置の経路切替部が第１の通信速度から第２の通信速度に通信経路を切り替え（図２・ステップＳ１０５）、第１の通信速度で通信中にＯＮＵ装置のＭＰＣＰ部がＯＬＴ装置からのＯＡＭフレームを検出し、ＯＮＵ装置のＭＰＣＰ部がＯＬＴ装置からの第１の切り替え指示ＯＡＭフレームを検出した場合（図３・ステップＳ２０１）に、ＯＮＵ装置の経路切替制御部が、第１の通信速度から第２の通信速度に通信経路を切り替えさせる制御信号と、第２の通信速度で動作する回路への電力供給を開始する制御信号とを発し、この制御信号に応じて、ＯＮＵ装置の経路切替部が第２の通信速度に通信経路を切り替える（図３・ステップＳ２０４）と共に、ＯＮＵ装置の動作制御部が第１の通信速度で動作する回路への電力供給を停止する（図３・ステップＳ２０５）。
【０１０２】
ここで、上記各動作ステップについては、これをコンピュータで実行可能にプログラム化し、これらを前記各ステップを直接実行するコンピュータであるプロセッサ１６および２６に実行させるようにしてもよい。本プログラムは、非一時的な記録媒体、例えば、ＤＶＤ、ＣＤ、フラッシュメモリ等に記録されてもよい。その場合、本プログラムは、記録媒体からコンピュータによって読み出され、実行される。
この動作により、本実施形態は以下のような効果を奏する。
【０１０３】
本実施形態によれば、ＯＮＵ装置ごとのの通信量とＧ−ＥＰＯＮの帯域を比較して、ＯＬＴ装置と各ＯＮＵ装置の間の経路をＧ−ＥＰＯＮと１０Ｇ−ＥＰＯＮとの間で切り替えることができる。従って、通信容量の小さい時は、消費電力の低いＧ−ＥＰＯＮのみで通信を行い、１０Ｇ−ＥＰＯＮに関連する回路の動作を停止させて、消費電力を大幅に低減させることができる。また、通信容量が大きくなり、Ｇ−ＥＰＯＮでは空き帯域が不十分である場合には、通信速度の高い１０Ｇ−ＥＰＯＮを利用して通信帯域を拡張することができる。
【０１０４】
その際、Ｇ−ＥＰＯＮと１０Ｇ−ＥＰＯＮとの間での通信方式の切り替えに利用されるのは、「空き帯域の検出」という、一般的には負荷の少ない処理である。従って、本実施形態は、公知技術を基礎として容易に実施可能である。
【０１０５】
（第１の実施形態の拡張）
図５は、第１の実施形態の拡張に係るＰＯＮシステム３０１の構成について示す説明図である。前段までで説明した第１の実施形態は、１０Ｇ−ＥＰＯＮとＧ−ＥＰＯＮとで同一の光ケーブルを使用するものとして説明したが、この拡張では複数あるＯＮＵ装置２０の中に、１０Ｇ−ＥＰＯＮとＧ−ＥＰＯＮとで同一の光ケーブルを使用するものと、別々の光ケーブルを使用するものとが混在している。
【０１０６】
図５に示した例では、ＯＮＵ装置２０ａは１０Ｇ−ＥＰＯＮとＧ−ＥＰＯＮとで同一の光ケーブル３０ａを使用している。ＯＮＵ装置２０ｂ〜２０ｄも、これと同様に１０Ｇ−ＥＰＯＮとＧ−ＥＰＯＮとで同一の光ケーブル３０ｂ〜３０ｄを使用している。これらに対して、ＯＮＵ装置２０ｅは１０Ｇ−ＥＰＯＮとＧ−ＥＰＯＮとでそれぞれ別々の光ケーブル３０ｅおよび３０ｆを使用している。図５では、「上下とも１Ｇｂｐｓによる接続（Ｇ−ＥＰＯＮ）」を破線の矢印、「上下とも１０Ｇｂｐｓによる接続（１０Ｇ−ＥＰＯＮ）」を太い実線の矢印で各々示している。
【０１０７】
１０Ｇ−ＥＰＯＮとＧ−ＥＰＯＮとで同一の光ケーブルを使用する場合と、別々の光ケーブルを使用する場合とで、ＯＬＴ装置１０およびＯＮＵ装置２０の内部での動作については特に違いはない。即ち、ＯＬＴ装置１０およびＯＮＵ装置２０は第１の実施形態で説明したものと、内部の構成および動作は全く同一である。従って、参照番号についても同一とする。
【０１０８】
カプラ３１によって正常に光接続が分岐および結合されてさえいれば、１０Ｇ−ＥＰＯＮとＧ−ＥＰＯＮとで同一の光ケーブルを使用するものと別々の光ケーブルを使用するものとが混在していても、動作において特に問題はない。さらに、ＯＬＴ装置１０に接続されている複数台のＯＮＵ装置の中に、１０Ｇ−ＥＰＯＮとＧ−ＥＰＯＮのうちの一方でしか通信を行うことができないものが混在していたとしても、そのようなＯＮＵ装置の存在が、ここまでで説明した第１の実施形態とその拡張に係る動作に影響を及ぼすことはない。
【０１０９】
（第２の実施形態）
本発明の第２の実施形態では、前述の第１の実施形態に係るＯＬＴ装置およびＯＮＵ装置を、ＯＬＴ装置からＯＮＵ装置に向けての下り方向通信についてのみ第１および第２の通信速度で通信可能であり、ＯＮＵ装置からＯＬＴ装置に向けての上り方向通信については常時第１の通信速度で通信を行うものとした。
【０１１０】
第１の実施形態よりも簡略化されたこの構成によっても、実質的に第１の実施形態と同一の効果を得ることができる。
以下、これをより詳細に説明する。
【０１１１】
図６は、本発明の第２の実施形態に係るＰＯＮシステム４０１の構成について示す説明図である。ＰＯＮシステム４０１は、ＯＬＴ装置４１０と１台または複数台のＯＮＵ装置４２０とが、光ケーブル３０を介してＰ２ＭＰで接続されて構成される。光ケーブル３０、およびこの途中を分岐するカプラ３１は、第１の実施形態と同一である。
【０１１２】
ＯＬＴ装置４１０とＯＮＵ装置４２０は下り方向が１０Ｇｂｐｓで上り方向が１Ｇｂｐｓの１０／１Ｇ−ＥＰＯＮ（１０Ｇ−ＥＰＯＮは10Gigabit Ethernet Passive Optical Network、IEEE802.3avとして標準化）または、Ｇ−ＥＰＯＮのいずれか一方を使用して接続することが可能である。即ち、下り方向について１Ｇｂｐｓと１０Ｇｂｐｓに通信速度を切り替えることが可能であり、上り方向については通信速度１Ｇｂｐｓに固定されている。この点が、第１および第２の実施形態の相違点である。
【０１１３】
ＯＬＴ装置４１０とＯＮＵ装置４２０内部の構成については、まずＯＬＴ装置４１０が、第１の実施形態に係るＯＬＴ装置１０と比べて、光送受信部４１１、サーデス部１２、およびＰＯＮ終端部４１３（ＭＰＣＰ部４１３ａおよび経路切替部４１３ｂ）が、１０Ｇｂｐｓ通信については１０／１Ｇ−ＥＰＯＮの下り方向の通信のみ可能であり、１Ｇｂｐｓ通信についてはＧ−ＥＰＯＮの上りおよび下りの両方向と１０／１Ｇ−ＥＰＯＮの上り方向の通信が可能となっている。
【０１１４】
これに対応する経路切替制御部４１６ａの動作も、第１の実施形態と若干異なるので、第１の実施形態と異なる参照番号でいう。この点以外は、ＯＬＴ装置４１０の構成は第１の実施形態に係るＯＬＴ装置１０と同一であり、またＯＬＴ装置４１０の各要素の機能も、ＯＬＴ装置１０における同名の要素と同一である。
【０１１５】
また、ＯＮＵ装置４２０内部の構成も、第１の実施形態に係るＯＮＵ装置２０と比べて、１０Ｇ光／電気変換部４２１ｃ、１０Ｇサーデス部４２２ｂ、ＭＰＣＰ部４２３ａが、各々１０／１Ｇ−ＥＰＯＮの下り方向の通信のみ可能となっており、１０／１Ｇ−ＥＰＯＮの上り方向の通信はＧ−ＥＰＯＮと同じ経路を用いる。Ｇ−ＥＰＯＮに関わる各部は、第１の実施形態と同じく上りおよび下りの両方向の通信が可能である。
【０１１６】
このため、１０Ｇ光／電気変換部４２１ｃを含む光送受信部４２１と、１０Ｇサーデス部４２２ｂを含むサーデス部４２２と、ＭＰＣＰ部４２３ａおよび経路切替部４２３ｂを含むＰＯＮ終端部４２３については、第１の実施形態と異なる参照番号でいう。また、これに対応する経路切替制御部４２６ａの動作も、第１の実施形態と一部異なる。そして動作制御部４２７も、１０Ｇ光／電気変換部４２１ｃおよび１０Ｇサーデス部４２２ｂについてのみ電力供給と動作の開始および停止を行う機能を持つ。従って、これらの各々については、第１の実施形態と異なる参照番号でいう。
【０１１７】
この点以外は、ＯＮＵ装置４２０の構成は第１の実施形態に係るＯＮＵ装置２０と同一であり、またＯＮＵ装置４２０の各要素の機能も、ＯＮＵ装置２０における同名の要素と同一である。
【０１１８】
（通信速度切り替えのフローチャート）
図７は、図６に示したＰＯＮシステム４０１で、ＯＬＴ装置４１０の側での通信速度切り替えの動作について示すフローチャートである。図８は、図６に示したＰＯＮシステム４０１で、ＯＮＵ装置４２０の側での通信速度切り替えの動作について示すフローチャートである。初期状態では、ＯＬＴ装置４１０と全てのＯＮＵ装置４２０とはＧ−ＥＰＯＮで通信しているものとする。
【０１１９】
まずＯＬＴ装置４１０の側で、経路切替制御部４１６ａはＭＰＣＰ部４１３ａを監視してＧ−ＥＰＯＮの下り側回線に空き帯域があるか否かを判断する（図７・ステップＳ６０１）。Ｇ−ＥＰＯＮの下り側にも空き帯域があれば、図７・ステップＳ６０１の判断を繰り返す。
【０１２０】
Ｇ−ＥＰＯＮの下り側に空き帯域がなくなれば（図７・ステップＳ６０１がイエス）、経路切替制御部４１６ａは経路切替部４１３ｂを監視して、Ｇ−ＥＰＯＮで通信している各ＯＮＵ装置４２０ごとのフレーム量を比較して、帯域占有率が最も高いＯＮＵ装置４２０を割り出して、そのＯＮＵ装置４２０の通信経路を１０／１Ｇ−ＥＰＯＮに切り替えることを指示するＯＡＭフレームを送信する（図７・ステップＳ６０２）。
【０１２１】
１０／１Ｇ−ＥＰＯＮへの切り替え指示のＯＡＭフレームを受信したＯＮＵ装置４２０では（図８・ステップＳ７０１）、経路切替制御部４２６ａが動作制御部４２７に対して１０／１Ｇ−ＥＰＯＮ用回路の動作を開始させる制御信号を発信する。この制御信号を受けた動作制御部４２７は、１０Ｇ光／電気変換部４２１ｃおよび１０Ｇサーデス部４２２ｂに対して電力供給を開始し、動作開始の制御信号を発信する（図８・ステップＳ７０２）。これと同時に、動作制御部４２７は経路切替制御部４２６ａに対して、１０／１Ｇ−ＥＰＯＮ用回路の動作が開始されたことを通知する。
【０１２２】
この通知を受けた経路切替制御部４２６ａは、ＭＰＣＰ部４２３ａに対してロジカルリンクを確立させる制御信号を発信する。この制御信号を受けたＭＰＣＰ部４２３ａは、１０／１Ｇ−ＥＰＯＮのディスカバリーゲート（Discovory Gate）に対してレジスターリクエスト（Register Request）を送信し、ロジカルリンクを確立させる（図７・ステップＳ６０３、および図８・ステップＳ７０３）。
【０１２３】
そして、１０／１Ｇ−ＥＰＯＮのロジカルリンクが確立すると、ＯＬＴ装置４１０では経路切替制御部４１６ａがＯＮＵ装置４２０向けのフレームの転送先を１０／１Ｇ−ＥＰＯＮに送信するよう経路切替部４１３ｂを制御する（図７・ステップＳ６０４）。
【０１２４】
これと同時に、ＯＮＵ装置４２０でも、ＯＬＴ装置４１０向けのフレームの転送先を１０／１Ｇ−ＥＰＯＮに送信するよう経路切替部４２３ｂを制御する（図８・ステップＳ７０４）。それと共に、経路切替制御部４２６ａは、１０Ｇ−ＥＰＯＮでの通信が開始されたことを確認してから、動作制御部４２７にＧ−ＥＰＯＮ用回路の動作を停止させる制御信号を発信する。これを受けた動作制御部４２７は、Ｇ−ＥＰＯＮでのロジカルリンクを遮断する。
【０１２５】
１０／１Ｇ−ＥＰＯＮでの通信中、ＯＬＴ装置４１０の経路切替制御部４１６ａは、ＭＰＣＰ部４１３ａを監視して、１０／１Ｇ−ＥＰＯＮおよびＧ−ＥＰＯＮで通信している各々のＯＮＵ装置４２０との間の通信量を検出し「１０／１Ｇ−ＥＰＯＮで通信しているＯＮＵ装置４２０の中で最も下り通信量の少ないＯＮＵ装置４２０の下り通信量」≦「Ｇ−ＥＰＯＮの下り通信経路の空き容量」であるか否か、即ち「１０／１Ｇ−ＥＰＯＮで通信しているＯＮＵ装置４２０の中で下り通信量がＧ−ＥＰＯＮに割り当て可能なものがあるか否か」を判断する（図７・ステップＳ６０５）。
【０１２６】
図７のステップＳ６０５がイエスとなれば、これは即ち現在下り方向について１０／１Ｇ−ＥＰＯＮで通信しているＯＮＵ装置４２０の中に、Ｇ−ＥＰＯＮでの通信に切り替えることが可能なものがあるということを意味する。その場合、該当するＯＮＵ装置４２０を１０／１Ｇ−ＥＰＯＮからＧ−ＥＰＯＮに、通信経路を切り替える動作を行う。その場合、ＯＬＴ装置４１０の経路切替制御部４１６ａは、該当するＯＮＵ装置４２０に対して通信経路をＧ−ＥＰＯＮに切り替えることを指示するＯＡＭフレームを送信する（図７・ステップＳ６０６）。
【０１２７】
Ｇ−ＥＰＯＮへの切り替え指示のＯＡＭフレームを受信したＯＮＵ装置４２０では（図８・ステップＳ７０６）、経路切替制御部４２６ａが、ＭＰＣＰ部４２３ａに対してロジカルリンクを確立させる制御信号を発信する。この制御信号を受けたＭＰＣＰ部４２３ａは、Ｇ−ＥＰＯＮのディスカバリーゲート（Discovory Gate）に対してレジスターリクエスト（Register Request）を送信し、ロジカルリンクを確立させる（図７・ステップＳ６０７、および図８・ステップＳ７０７）。
【０１２８】
そして、Ｇ−ＥＰＯＮのロジカルリンクが確立すると、ＯＬＴ装置４１０では経路切替制御部４１６ａがＯＮＵ装置４２０向けのフレームの転送先をＧ−ＥＰＯＮに送信するよう経路切替部４１３ｂを制御する（図７・ステップＳ６０８）。ＯＬＴ装置４１０では、これ以後ステップＳ６０１からの処理を繰り返す。
【０１２９】
これと同時に、ＯＮＵ装置４２０でも、ＯＬＴ装置４１０向けのフレームの転送先をＧ−ＥＰＯＮに送信するよう経路切替部２３ｂを制御する（図８・ステップＳ７０８）。それと共に、経路切替制御部４２６ａは、Ｇ−ＥＰＯＮでの通信が開始されたことを確認してから、動作制御部４２７に１０／１Ｇ−ＥＰＯＮ用回路の動作を停止させる制御信号を発信する。これを受けた動作制御部４２７は、１０Ｇ光／電気変換部４２１ｃおよび１０Ｇサーデス部４２２ｂの動作を停止させ、電力供給を停止する（図８・ステップＳ７０９）。
【０１３０】
通常のインターネットにおいては、高速度かつ大容量の通信は主に下り方向について行われ、上り方向の通信速度は下り方向と比べて小さくてよいことが多い。従って、本実施形態は、第１の実施形態と比べてより簡略化された構成で、実質的に第１の実施形態と同一の効果を得ることができる。
【０１３１】
（第２の実施形態の拡張）
図９は、第２の実施形態の拡張に係るＰＯＮシステム８０１の構成について示す説明図である。前段までで説明した第２の実施形態は、下り回線の１０Ｇ−ＥＰＯＮとＧ−ＥＰＯＮとで同一の光ケーブルを使用するものとして説明したが、この拡張では複数あるＯＮＵ装置４２０の中に、１０Ｇ−ＥＰＯＮとＧ−ＥＰＯＮとで同一の光ケーブルを使用するものと、別々の光ケーブルを使用するものとが混在している。上り回線については、ＯＬＴ装置４１０と全てのＯＮＵ装置４２０の間で、Ｇ−ＥＰＯＮでの通信を使用する。
【０１３２】
図９に示した例では、ＯＮＵ装置４２０ａは１０／１Ｇ−ＥＰＯＮとＧ−ＥＰＯＮとで同一の光ケーブル３０ａを使用している。ＯＮＵ装置４２０ｂ〜４２０ｄも、これと同様に１０／１Ｇ−ＥＰＯＮとＧ−ＥＰＯＮとで同一の光ケーブル３０ｂ〜３０ｄを使用している。これらに対して、ＯＮＵ装置４２０ｅは１０／１Ｇ−ＥＰＯＮとＧ−ＥＰＯＮとでそれぞれ別々の光ケーブル３０ｅおよび３０ｆを使用している。図９では、「上下とも１Ｇｂｐｓによる接続（Ｇ−ＥＰＯＮ）」を破線の矢印、「上り１Ｇｂｐｓ、下り１０Ｇｂｐｓ（１０／１Ｇ−ＥＰＯＮ）による接続」を太い実線の矢印で各々示している。
【０１３３】
下り回線の１０／１Ｇ−ＥＰＯＮとＧ−ＥＰＯＮとで同一の光ケーブルを使用する場合と、別々の光ケーブルを使用する場合とで、ＯＬＴ装置４１０およびＯＮＵ装置４２０の動作については特に違いはない。即ち、ＯＬＴ装置４１０およびＯＮＵ装置４２０は第１の実施形態で説明したものと、内部の構成も動作も全く同一である。従って、参照番号についても同一とする。
【０１３４】
第１の実施形態の拡張として説明したものと同様に、カプラ３１によって正常に光接続が分岐および結合されてさえいれば、１０Ｇ−ＥＰＯＮとＧ−ＥＰＯＮとで同一の光ケーブルを使用するものと別々の光ケーブルを使用するものとが混在していても、動作において特に問題はない。
【０１３５】
これまで本発明について図面に示した特定の実施形態をもって説明してきたが、本発明は図面に示した実施形態に限定されるものではなく、本発明の効果を奏する限り、これまで知られたいかなる構成であっても採用することができる。
【０１３６】
上述した各々の実施形態について、その新規な技術内容の要点をまとめると、以下のようになる。なお、上記実施形態の一部または全部は、新規な技術として以下のようにまとめられるが、本発明は必ずしもこれに限定されるものではない。
【０１３７】
（付記１）  光ファイバ回線の一端に接続された事業者側通信装置であるＯＬＴ（Optical Line Terminal）装置と、前記光ファイバ回線の途中に挿入された光受動部品によって分岐された前記光ファイバ回線の他端に接続された複数台の加入者側通信装置であるＯＮＵ（Optical Network Unit）装置とからなり、前記ＯＬＴ装置とこれに対応する前記ＯＮＵ装置が第１の通信速度もしくは前記第１の通信速度より高速な第２の通信速度で相互に通信可能であるように構成されたＰＯＮ（Passive Optical Network）システムであって、
前記ＯＬＴ装置は、
前記第１および第２の通信速度のいずれで通信を行うかを切り替える第１の経路切替部と、前記ＯＬＴ装置と各々の前記ＯＮＵ装置の間の前記第１の通信速度の通信経路の空き帯域を検出する第１のＭＰＣＰ（Multi Point Control Protocol）部と、前記ＭＰＣＰ部が検出した前記空き帯域が十分であるか否かを判断して前記空き帯域が十分でない場合に前記ＭＰＣＰ部に第２の通信速度への切り替えを指示する第１の経路切替制御部とを有すると共に、
前記第１の通信速度で通信中に前記第２の通信速度への切り替えを指示された場合に、前記第１の経路切替部が前記第２の通信速度に前記通信経路を切り替える機能を有すると共に、前記第１のＭＰＣＰ部が前記ＯＮＵ装置に対して第１の切り替え指示ＯＡＭフレームを送信する機能を有することを特徴とするＰＯＮシステム。
【０１３８】
（付記２）  前記ＯＮＵ装置は、
前記第１および第２の通信速度のいずれで通信を行うかを切り替える第２の経路切替部と、前記第１および第２の通信速度のうち一方の通信速度で通信中に残る一方の通信速度で動作する回路への電力供給を停止する動作制御部とを有すると共に、
前記第１の通信速度で通信中に前記ＯＬＴ装置からのＯＡＭフレームを受信した場合にこれを検出する第２のＭＰＣＰ部と、
前記ＭＰＣＰ部が前記ＯＬＴ装置からの前記第１の切り替え指示ＯＡＭフレームを検出した場合に、前記経路切替部に対して前記第１の通信速度から前記第２の通信速度に前記通信経路を切り替えさせる制御信号と、前記動作制御部に対して前記第１の通信速度で動作する回路への電力供給を停止する制御信号とを発する第２の経路切替制御部と
を有することを特徴とする、請求項１に記載のＰＯＮシステム。
【０１３９】
（付記３）  前記ＯＬＴ装置の前記第１のＭＰＣＰ部が、前記第２の通信速度で通信中の前記ＯＮＵ装置の中で前記第１の通信速度に割り当て可能な前記ＯＮＵ装置が存在するか否かを検出する機能を有し、
前記ＯＬＴ装置の第１の経路切替制御部が、前記ＭＰＣＰ部が前記第１の通信速度に割り当て可能な前記ＯＮＵ装置が存在することを検出した場合に前記ＭＰＣＰ部に通信速度の切り替えを指示する機能を有し、
前記ＯＬＴ装置の第１の前記経路切替部が、前記第２の通信速度への切り替えを指示された場合に前記第２の通信速度から前記第１の通信速度に前記通信経路を切り替えると共に、前記ＯＬＴ装置の前記ＭＰＣＰ部が、前記ＯＮＵ装置に対して第２の切り替え指示ＯＡＭフレームを送信する機能を有すると共に、
前記ＯＮＵ装置の第２のＭＰＣＰ部が、前記ＯＬＴ装置からの前記第２の切り替え指示ＯＡＭフレームを検出した場合に、前記第２の経路切替制御部が、前記第２の経路切替部に対して前記第２の通信速度から前記第１の通信速度に前記通信経路を切り替えさせる制御信号と前記動作制御部に対して前記第２の通信速度で動作する回路への電力供給を停止する制御信号とを発する機能を有することを特徴とする、請求項２に記載のＰＯＮシステム。
【０１４０】
（付記４）  前記ＯＬＴ装置および前記ＯＮＵ装置が、前記ＯＬＴ装置から前記ＯＮＵ装置に向けての下り方向通信と前記ＯＮＵ装置から前記ＯＬＴ装置に向けての上り方向通信の双方で前記第１および第２の通信速度で通信可能であり、かつ前記第１および第２の通信速度の切り替えを前記下り方向通信と前記上り方向通信で同時に行うことを特徴とする、請求項１ないし請求項３のいずれか１項に記載のＰＯＮシステム。
【０１４１】
（付記５）  前記ＯＬＴ装置および前記ＯＮＵ装置が、前記ＯＬＴ装置から前記ＯＮＵ装置に向けての下り方向通信についてのみ前記第１および第２の通信速度で通信可能であり、前記ＯＮＵ装置から前記ＯＬＴ装置に向けての上り方向通信については常時前記第１の通信速度で通信を行うことを特徴とする、請求項１ないし請求項３のいずれか１項に記載のＰＯＮシステム。
【０１４２】
（付記６）  光受動部品によって分岐された光ファイバ回線に接続された複数台の加入者側通信装置であるＯＮＵ（Optical Network Unit）装置と接続され、各々の前記ＯＮＵ装置と第１の通信速度もしくは前記第１の通信速度より高速な第２の通信速度で相互に通信可能であるように構成されるＰＯＮ（Passive Optical Network）システムを構築する事業者側通信装置であるＯＬＴ（Optical Line Terminal）装置であって、
前記第１および第２の通信速度のいずれで通信を行うかを切り替える経路切替部と、
前記ＯＬＴ装置と各々の前記ＯＮＵ装置の間の前記第１の通信速度の通信経路の空き帯域を検出するＭＰＣＰ（Multi Point Control Protocol）部と、
前記ＭＰＣＰ部が検出した前記空き帯域が十分であるか否かを判断し、前記空き帯域が十分でない場合に前記ＭＰＣＰ部に第２の通信速度への切り替えを指示する経路切替制御部と
を有すると共に、
前記第１の通信速度で通信中に前記第２の通信速度への切り替えを指示された場合に、前記経路切替部が前記第２の通信速度に前記通信経路を切り替える機能を有すると共に、前記ＭＰＣＰ部が前記ＯＮＵ装置に対して第１の切り替え指示ＯＡＭフレームを送信する機能を有することを特徴とするＯＬＴ装置。
【０１４３】
（付記７）  光受動部品によって分岐された光ファイバ回線を介して事業者側通信装置であるＯＬＴ（Optical Line Terminal）装置と接続され、前記ＯＬＴ装置と第１の通信速度もしくは前記第１の通信速度より高速な第２の通信速度で相互に通信可能であるように構成されたＰＯＮ（Passive Optical Network）システムを構築する加入者側通信装置であるＯＮＵ（Optical Network Unit）装置であって、
前記第１および第２の通信速度のいずれで通信を行うかを切り替える経路切替部と、
前記第１および第２の通信速度のうち一方の通信速度で通信中に残る一方の通信速度で動作する回路への電力供給を停止する動作制御部と
を有すると共に、
前記第１の通信速度で通信中に前記ＯＬＴ装置からのＯＡＭフレームを受信した場合にこれを検出するＭＰＣＰ部と、
前記ＭＰＣＰ部が前記ＯＬＴ装置からの前記第１の切り替え指示ＯＡＭフレームを検出した場合に、前記経路切替部に対して前記第１の通信速度から前記第２の通信速度に前記通信経路を切り替えさせる制御信号と、前記動作制御部に対して前記第１の通信速度で動作する回路への電力供給を停止する制御信号とを発する経路切替制御部と
を有することを特徴とするＯＮＵ装置。
【０１４４】
（付記８）  光ファイバ回線の一端に接続された事業者側通信装置であるＯＬＴ（Optical Line Terminal）装置と、前記光ファイバ回線の途中に挿入された光受動部品によって分岐された前記光ファイバ回線の他端に接続された複数台の加入者側通信装置であるＯＮＵ（Optical Network Unit）装置とからなり、前記ＯＬＴ装置とこれに対応する前記ＯＮＵ装置が第１の通信速度もしくは前記第１の通信速度より高速な第２の通信速度で相互に通信可能であるように構成されたＰＯＮ（Passive Optical Network）システムにあって、
前記第１の通信速度で通信中に前記ＯＬＴ装置と各々の前記ＯＮＵ装置の間の前記第１の通信速度の通信経路の空き帯域を前記ＯＬＴ装置の第１のＭＰＣＰ（Multi Point Control Protocol）部が検出し、
前記ＭＰＣＰ部が検出した前記空き帯域が十分であるか否かを前記ＯＬＴ装置の第１の経路切替制御部が判断し、
前記空き帯域が十分でない場合に前記ＯＬＴ装置の第１の経路切替制御部が前記ＯＬＴ装置の前記第１のＭＰＣＰ部に第２の通信速度への切り替えを指示し、
前記第２の通信速度への切り替え指示に応じて、前記ＯＬＴ装置の前記第１のＭＰＣＰ部が前記ＯＮＵ装置に対して第１の切り替え指示ＯＡＭフレームを送信すると共に前記ＯＬＴ装置の前記第１の経路切替部が前記第１の通信速度から前記第２の通信速度に前記通信経路を切り替え、
前記第１の通信速度で通信中に前記ＯＮＵ装置の第２のＭＰＣＰ部が前記ＯＬＴ装置からのＯＡＭフレームを検出し、
前記ＯＮＵ装置の前記第２のＭＰＣＰ部が前記ＯＬＴ装置からの前記第１の切り替え指示ＯＡＭフレームを検出した場合に、前記ＯＮＵ装置の第２の経路切替制御部が、前記第１の通信速度から前記第２の通信速度に前記通信経路を切り替えさせる制御信号と、前記第２の通信速度で動作する回路への電力供給を開始する制御信号とを発し、
この制御信号に応じて、前記ＯＮＵ装置の第２の経路切替部が前記第２の通信速度に前記通信経路を切り替えると共に、前記ＯＮＵ装置の動作制御部が前記第１の通信速度で動作する回路への電力供給を停止する
ことを特徴とする通信速度切替方法。
【０１４５】
（付記９）  光ファイバ回線の一端に接続された事業者側装置であるＯＬＴ（Optical Line Terminal）装置と、前記光ファイバ回線の途中に挿入された光受動部品によって分岐された前記光ファイバ回線の他端に接続された複数台の加入者側装置であるＯＮＵ（Optical Network Unit）装置とからなり、前記ＯＬＴ装置と各々の前記ＯＮＵ装置が第１の通信速度もしくは前記第１の通信速度より高速な第２の通信速度で相互に通信可能であるＰＯＮ（Passive Optical Network）システムにあって、
前記ＯＬＴ装置が備えるコンピュータに、
前記第１の通信速度で通信中に前記ＯＬＴ装置と各々の前記ＯＮＵ装置の間の前記第１の通信速度の通信経路の空き帯域を検出する手順、
前記ＭＰＣＰ部が検出した前記空き帯域が十分であるか否かを判断する手順、
前記空き帯域が十分でない場合に前記ＯＬＴ装置の前記ＭＰＣＰ部に第２の通信速度への切り替えを指示する手順、
および前記第２の通信速度への切り替え指示に応じて、前記ＯＬＴ装置の前記ＭＰＣＰ部に前記ＯＮＵ装置に対して第１の切り替え指示ＯＡＭフレームを送信させると共に前記ＯＬＴ装置の経路切替制御部に前記第１の通信速度から前記第２の通信速度に前記通信経路を切り替えさせる手順、
を実行させることを特徴とする通信速度切替プログラム。
【０１４６】
（付記１０）    光ファイバ回線の一端に接続された事業者側装置であるＯＬＴ（Optical Line Terminal）装置と、前記光ファイバ回線の途中に挿入された光受動部品によって分岐された前記光ファイバ回線の他端に接続された複数台の加入者側装置であるＯＮＵ（Optical Network Unit）装置とからなり、前記ＯＬＴ装置と各々の前記ＯＮＵ装置が第１の通信速度もしくは前記第１の通信速度より高速な第２の通信速度で相互に通信可能であるＰＯＮ（Passive Optical Network）システムにあって、
前記ＯＮＵ装置が備えるコンピュータに、
前記第１の通信速度で通信中に前記ＯＮＵ装置のＭＰＣＰ部に前記ＯＬＴ装置からのＯＡＭフレームを検出させる手順、
前記ＯＮＵ装置の前記ＭＰＣＰ部が前記ＯＬＴ装置からの前記第１の切り替え指示ＯＡＭフレームを検出した場合に、前記第１の通信速度から前記第２の通信速度に前記通信経路を切り替えさせる制御信号と、前記第１の通信速度で動作する回路への電力供給を停止する制御信号とを発する手順、
を実行させることを特徴とする通信速度切替プログラム。
【産業上の利用可能性】
【０１４７】
本発明は、ＰＯＮシステムにおいて利用することができる。特に、複数の通信速度を切り替え可能なＰＯＮシステムでの利用に適する。
【符号の説明】
【０１４８】
１、３０１、４０１、８０１  ＰＯＮシステム
１０、４１０  ＯＬＴ装置
１１、２１、４１１、４２１  光送受信部
１２、２２、４１２、４２２  サーデス部
１３、２３、４１３、４２３  ＰＯＮ終端部
１３ａ、２３ａ、４１３ａ、４２３ａ  ＭＰＣＰ部
１３ｂ、２３ｂ、４１３ｂ、４２３ｂ  経路切替部
１４、２４  フレームバッファ部
１５  ＳＮＩ終端部
１６、２６  プロセッサ
１６ａ、２６ａ、４１６ａ、４２６ａ  経路切替制御部
２０、２０ａ〜２０ｅ、４２０、４２０ａ〜４２０ｅ  ＯＮＵ装置
２１ａ  光分割部
２１ｂ  １Ｇ光／電気変換部
２１ｃ、４２１ｃ  １０Ｇ光／電気変換部
２２ａ  １Ｇサーデス部
２２ｂ、４２２ｂ  １０Ｇサーデス部
２５  ＵＮＩ終端部
２７、４２７  動作制御部
３０、３０ａ〜３０ｆ  光ケーブル
３１  カプラ
【図１】
0005158613.tif 000002
【図２】
0005158613.tif 000003
【図３】
0005158613.tif 000004
【図４】
0005158613.tif 000005
【図５】
0005158613.tif 000006
【図６】
0005158613.tif 000007
【図７】
0005158613.tif 000008
【図８】
0005158613.tif 000009
【図９】
0005158613.tif 000010
【図１０】
0005158613.tif 000011